(57)【要約】  ワイヤレス通信のための方法、装置、およびコンピュータプログラム製品が提供される。本装置、たとえば、基地局は、本装置によってサービスされるユーザ機器（ＵＥ）のために構成された複数のコンポーネントキャリアを決定する。複数のコンポーネントキャリアは１次コンポーネントキャリアと２次コンポーネントキャリアとを含む。１次コンポーネントキャリアは、近隣基地局において第１のセルと同じアップリンク：ダウンリンク構成を有する時分割複信（ＴＤＤ）キャリアであり得、２次コンポーネントキャリアは、近隣基地局において第２のセルとは異なるアップリンク：ダウンリンク構成を有するＴＤＤキャリアであり得る。本装置は、構成されたコンポーネントキャリアの有効アップリンクダウンリンクサブフレームパーティションに従ってデータをＵＥと交換する。有効アップリンクダウンリンクサブフレームパーティションは時間変動し得、本装置は、サービングセルとネイバーセルとにおける異なるＴＤＤ構成による干渉を制限するように動作し得る。
2015534371.tif 000002
【特許請求の範囲】
【請求項１】
基地局のワイヤレス通信のための方法であって、
前記基地局によってサービスされるユーザ機器（ＵＥ）のために構成された複数の時分割複信（ＴＤＤ）コンポーネントキャリアを決定することと、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送ることと、
前記複数のコンポーネントキャリアのうちの少なくとも１つ上でデータを前記ＵＥと交換することと
を備える、方法。
【請求項２】
各ＴＤＤコンポーネントキャリアのためのアップリンク：ダウンリンク構成に基づいて、前記ＵＥのために構成された前記複数のＴＤＤコンポーネントキャリア中の複数のサブフレームのための有効アップリンク：ダウンリンク区分を決定することと、
前記有効アップリンク：ダウンリンク区分に基づいて、データ送信のためにその中で前記ＵＥをスケジュールすべきサブフレームを決定することと、
前記決定されたサブフレーム中でリソース許可を送ることと
をさらに備える、請求項１に記載の方法。
【請求項３】
前記リソース許可がダウンリンクデータのための許可を備え、前記ＵＥによるＡＣＫ／ＮＡＣＫフィードバックのためのアップリンクサブフレームを決定することをさらに備え、前記ＡＣＫ／ＮＡＣＫフィードバックが前記データ送信に関連する、請求項２に記載の方法。
【請求項４】
前記複数のコンポーネントキャリアが周波数分割複信（ＦＤＤ）コンポーネントキャリアを備え、前記方法は、
アップリンクサブフレームがＴＤＤコンポーネントキャリア上で利用可能であるとき、前記ＴＤＤコンポーネントキャリア上で前記ＡＣＫ／ＮＡＣＫフィードバックを受信することと、
アップリンクサブフレームが前記ＴＤＤコンポーネントキャリア上で利用可能でないとき、前記ＦＤＤコンポーネントキャリア上で前記ＡＣＫ／ＮＡＣＫフィードバックを受信することと
をさらに備える、請求項３に記載の方法。
【請求項５】
前記複数のコンポーネントキャリアが周波数分割複信（ＦＤＤ）コンポーネントキャリアを備え、前記方法は、
前記ＦＤＤコンポーネントキャリア上で前記リソース許可を送ることと、ここにおいて、前記リソース許可が前記ＴＤＤコンポーネントキャリア上でのダウンリンクデータのための許可を備える、
ダウンリンクデータのための前記許可に応答して、前記有効アップリンク：ダウンリンク区分に従って決定されたサブフレーム中で、前記ＵＥからアップリンク信号を受信することと
をさらに備える、請求項２に記載の方法。
【請求項６】
前記ＵＥからの前記アップリンク信号が、前記ダウンリンクデータ送信に関連するＡＣＫ／ＮＡＣＫフィードバックを備え、前記ＡＣＫ／ＮＡＣＫフィードバックが、前記有効アップリンク：ダウンリンク区分におけるアップリンクサブフレームの利用可能性に基づいて受信される、請求項５に記載の方法。
【請求項７】
前記複数のコンポーネントキャリアが周波数分割複信（ＦＤＤ）コンポーネントキャリアを備え、前記方法は、
前記ＦＤＤコンポーネントキャリア上で前記リソース許可を送ることと、ここにおいて、前記リソース許可が前記ＴＤＤコンポーネントキャリア上でのアップリンクデータのための許可を備える、
アップリンクデータを受信することと、
前記アップリンクデータに応答して、前記有効アップリンクダウンリンク区分に従って決定されたサブフレーム中で、前記基地局からダウンリンク信号を送ることと
を備える、請求項２に記載の方法。
【請求項８】
前記基地局からの前記ダウンリンク信号が、前記アップリンクデータ送信に関連するＡＣＫ／ＮＡＣＫフィードバックを備える、請求項７に記載の方法。
【請求項９】
前記ネイバーセルにおける少なくとも１つのＴＤＤコンポーネントキャリアの前記アップリンク：ダウンリンク構成の変更に従って前記有効アップリンク：ダウンリンク区分を更新することをさらに備える、請求項２に記載の方法。
【請求項１０】
前記１次コンポーネントキャリアが構成可能なアップリンク：ダウンリンク構成を有し、前記第１のセルにおける前記１次コンポーネントキャリアの前記アップリンク：ダウンリンク構成を、前記ネイバーセルの前記１次コンポーネントキャリアの前記アップリンク：ダウンリンク構成と同期させることをさらに備える、請求項１に記載の方法。
【請求項１１】
前記第１のセルによってサービスされる１つまたは複数のＵＥとデータを交換するためのターゲット有効アップリンク：ダウンリンク区分を決定することと、
前記決定することの結果に少なくとも部分的に基づいて前記２次コンポーネントキャリアのアップリンク：ダウンリンク構成を調整することと
をさらに備える、請求項１に記載の方法。
【請求項１２】
前記ＵＥによって観測され、前記基地局と前記近隣基地局とにおいて異なるアップリンク：ダウンリンク構成を有する前記２次コンポーネントキャリアから生じるセル間干渉の測度を決定することと、
前記決定された測度に基づいて前記１次コンポーネントキャリアと前記２次コンポーネントキャリアとのうちの１つ上で前記ＵＥをスケジュールすることと
をさらに備える、請求項１に記載の方法。
【請求項１３】
前記決定された測度が強いセル間干渉に対応するとき、前記ＵＥが前記１次コンポーネントキャリア上でスケジュールされる、請求項１２に記載の方法。
【請求項１４】
前記決定された測度が強いセル間干渉に対応しないとき、前記ＵＥが前記２次コンポーネントキャリア上でスケジュールされる、請求項１２に記載の方法。
【請求項１５】
前記ＵＥから第１のチャネル状態情報（ＣＳＩ）報告を受信することと、前記第１のＣＳＩ報告が第１のサブフレームタイプのための前記２次コンポーネントキャリアのためのものであり、ここにおいて、前記第１のサブフレームタイプのサブフレームが前記ネイバーセル中のＵＥから干渉を受けない、
前記ＣＳＩ報告に基づいて前記第１のサブフレームタイプのサブフレーム中の前記２次コンポーネントキャリア上で前記ＵＥをスケジュールすることと
をさらに備える、請求項１２に記載の方法。
【請求項１６】
前記ＵＥから第２のＣＳＩ報告を受信することと、前記第２の報告が前記ＵＥからの第２のサブフレームタイプのための前記２次コンポーネントキャリアのためのものであり、ここにおいて、前記第２のサブフレームタイプのサブフレームが前記ネイバーセル中の前記ＵＥから干渉を受ける、
前記第１のＣＳＩ報告に基づいて前記第１のサブフレームタイプのサブフレーム中の前記２次コンポーネントキャリア上で前記ＵＥをスケジュールするか、または前記第２のＣＳＩ報告に基づいて前記第２のサブフレームタイプのサブフレーム中の前記２次コンポーネントキャリア上で前記ＵＥをスケジュールすることと
をさらに備える、請求項１５に記載の方法。
【請求項１７】
サブフレームを決定することが、前記ＵＥの能力と、前記ＵＥに送るべきデータの量と、前記ＵＥのデータ要件とのうちの少なくとも１つにさらに基づいて、データ送信のためにその中で前記ＵＥをスケジュールすべき前記サブフレームを選択することを備える、請求項２に記載の方法。
【請求項１８】
基地局によってサービスされるユーザ機器（ＵＥ）のために構成された複数の時分割複信（ＴＤＤ）コンポーネントキャリアを決定するための手段と、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送るための手段と、
前記複数のコンポーネントキャリアのうちの少なくとも１つ上でデータを前記ＵＥと交換するための手段と
を備える、ワイヤレス通信のための装置。
【請求項１９】
各ＴＤＤコンポーネントキャリアのためのアップリンク：ダウンリンク構成に基づいて、前記ＵＥのために構成された前記複数のＴＤＤコンポーネントキャリア中の複数のサブフレームのための有効アップリンク：ダウンリンク区分を決定するための手段と、
前記有効アップリンク：ダウンリンク区分に基づいて、データ送信のためにその中で前記ＵＥをスケジュールすべきサブフレームを決定するための手段と、
前記決定されたサブフレーム中でリソース許可を送るための手段と
をさらに備える、請求項１８に記載の装置。
【請求項２０】
前記リソース許可がダウンリンクデータのための許可を備え、前記ＵＥによるＡＣＫ／ＮＡＣＫフィードバックのためのアップリンクサブフレームを決定するための手段をさらに備え、前記ＡＣＫ／ＮＡＣＫフィードバックが前記データ送信に関連する、請求項１９に記載の装置。
【請求項２１】
前記複数のコンポーネントキャリアが周波数分割複信（ＦＤＤ）コンポーネントキャリアを備え、前記装置は、
ＴＤＤコンポーネントキャリア上でアップリンクサブフレームが利用可能であるとき、前記ＴＤＤコンポーネントキャリア上で前記ＡＣＫ／ＮＡＣＫフィードバックを受信するための手段と、
前記ＴＤＤコンポーネントキャリア上でアップリンクサブフレームが利用可能でないとき、前記ＦＤＤコンポーネントキャリア上で前記ＡＣＫ／ＮＡＣＫフィードバックを受信するための手段と
をさらに備える、請求項２０に記載の装置。
【請求項２２】
前記複数のコンポーネントキャリアが周波数分割複信（ＦＤＤ）コンポーネントキャリアを備え、前記装置は、
前記ＦＤＤコンポーネントキャリア上で前記リソース許可を送るための手段と、ここにおいて、前記リソース許可が前記ＴＤＤコンポーネントキャリア上でのダウンリンクデータのための許可を備える、
ダウンリンクデータのための前記許可に応答して、前記有効アップリンク：ダウンリンク区分に従って決定されたサブフレーム中で、前記ＵＥからアップリンク信号を受信するための手段と
をさらに備える、請求項１９に記載の装置。
【請求項２３】
前記ＵＥからの前記アップリンク信号が、前記ダウンリンクデータ送信に関連するＡＣＫ／ＮＡＣＫフィードバックを備え、前記ＡＣＫ／ＮＡＣＫフィードバックが、前記有効アップリンク：ダウンリンク区分におけるアップリンクサブフレームの利用可能性に基づいて受信される、請求項２２に記載の装置。
【請求項２４】
前記複数のコンポーネントキャリアが周波数分割複信（ＦＤＤ）コンポーネントキャリアを備え、前記装置は、
前記ＦＤＤコンポーネントキャリア上で前記リソース許可を送るための手段と、ここにおいて、前記リソース許可が前記ＴＤＤコンポーネントキャリア上でのアップリンクデータのための許可を備える、
アップリンクデータを受信するための手段と、
前記アップリンクデータに応答して、前記有効アップリンクダウンリンク区分に従って決定されたサブフレーム中で、前記基地局からダウンリンク信号を送るための手段と
を備える、請求項１９に記載の装置。
【請求項２５】
前記基地局からの前記ダウンリンク信号が、前記アップリンクデータ送信に関連するＡＣＫ／ＮＡＣＫフィードバックを備える、請求項２４に記載の装置。
【請求項２６】
前記ネイバーセルにおける少なくとも１つのＴＤＤコンポーネントキャリアの前記アップリンク：ダウンリンク構成の変更に従って、前記有効アップリンク：ダウンリンク区分を更新するための手段をさらに備える、請求項１９に記載の装置。
【請求項２７】
前記１次コンポーネントキャリアが構成可能なアップリンク：ダウンリンク構成を有し、前記第１のセルにおける前記１次コンポーネントキャリアの前記アップリンク：ダウンリンク構成を前記ネイバーセルの前記１次コンポーネントキャリアの前記アップリンク：ダウンリンク構成と同期させるための手段をさらに備える、請求項１８に記載の装置。
【請求項２８】
前記第１のセルによってサービスされる１つまたは複数のＵＥとデータを交換するためのターゲット有効アップリンク：ダウンリンク区分を決定するための手段と、
前記決定することの結果に少なくとも部分的に基づいて前記２次コンポーネントキャリアのアップリンク：ダウンリンク構成を調整するための手段と
をさらに備える、請求項１８に記載の装置。
【請求項２９】
前記ＵＥによって観測され、前記基地局と前記近隣基地局とにおいて異なるアップリンク：ダウンリンク構成を有する前記２次コンポーネントキャリアから生じるセル間干渉の測度を決定するための手段と、
前記決定された測度に基づいて前記１次コンポーネントキャリアと前記２次コンポーネントキャリアとのうちの１つ上で前記ＵＥをスケジュールするための手段と
をさらに備える、請求項１８に記載の装置。
【請求項３０】
前記決定された測度が強いセル間干渉に対応するとき、前記ＵＥが前記１次コンポーネントキャリア上でスケジュールされる、請求項２９に記載の装置。
【請求項３１】
前記決定された測度が強いセル間干渉に対応しないとき、前記ＵＥが前記２次コンポーネントキャリア上でスケジュールされる、請求項２９に記載の装置。
【請求項３２】
前記ＵＥから第１のチャネル状態情報（ＣＳＩ）報告を受信するための手段と、前記第１のＣＳＩ報告が第１のサブフレームタイプのための前記２次コンポーネントキャリアのためのものであり、ここにおいて、前記第１のサブフレームタイプのサブフレームが前記ネイバーセル中のＵＥから干渉を受けない、
前記ＣＳＩ報告に基づいて前記第１のサブフレームタイプのサブフレーム中の前記２次コンポーネントキャリア上で前記ＵＥをスケジュールするための手段と
をさらに備える、請求項２９に記載の装置。
【請求項３３】
前記ＵＥから第２のＣＳＩ報告を受信するための手段と、前記第２の報告が前記ＵＥからの第２のサブフレームタイプのための前記２次コンポーネントキャリアのためのものであり、ここにおいて、前記第２のサブフレームタイプのサブフレームが前記ネイバーセル中の前記ＵＥから干渉を受ける、
前記第１のＣＳＩ報告に基づいて前記第１のサブフレームタイプのサブフレーム中の前記２次コンポーネントキャリア上で前記ＵＥをスケジュールするか、または前記第２のＣＳＩ報告に基づいて前記第２のサブフレームタイプのサブフレーム中の前記２次コンポーネントキャリア上で前記ＵＥをスケジュールするための手段と
をさらに備える、請求項３２に記載の装置。
【請求項３４】
サブフレームを決定するための前記手段が、前記ＵＥの能力と、前記ＵＥに送るべきデータの量と、前記ＵＥのデータ要件とのうちの少なくとも１つにさらに基づいて、データ送信のためにその中で前記ＵＥをスケジュールすべき前記サブフレームを選択するように構成された、請求項１９に記載の装置。
【請求項３５】
メモリと、
前記メモリに結合され、
前記基地局によってサービスされるユーザ機器（ＵＥ）のために構成された複数の時分割複信（ＴＤＤ）コンポーネントキャリアを決定することと、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送ることと、
前記複数のコンポーネントキャリアのうちの少なくとも１つ上でデータを前記ＵＥと交換することと
を行うように構成された処理システムと
を備える、ワイヤレス通信のための装置。
【請求項３６】
前記処理システムが、
各ＴＤＤコンポーネントキャリアのためのアップリンク：ダウンリンク構成に基づいて、前記ＵＥのために構成された前記複数のＴＤＤコンポーネントキャリア中の複数のサブフレームのための有効アップリンク：ダウンリンク区分を決定することと、
前記有効アップリンク：ダウンリンク区分に基づいて、データ送信のためにその中で前記ＵＥをスケジュールすべきサブフレームを決定することと、
前記決定されたサブフレーム中でリソース許可を送ることと
を行うようにさらに構成された、請求項３５に記載の装置。
【請求項３７】
前記リソース許可がダウンリンクデータのための許可を備え、前記処理システムが、前記ＵＥによるＡＣＫ／ＮＡＣＫフィードバックのためのアップリンクサブフレームを決定するようにさらに構成され、前記ＡＣＫ／ＮＡＣＫフィードバックが前記データ送信に関連する、請求項３６に記載の装置。
【請求項３８】
前記複数のコンポーネントキャリアが周波数分割複信（ＦＤＤ）コンポーネントキャリアを備え、前記処理システムは、
アップリンクサブフレームがＴＤＤコンポーネントキャリア上で利用可能であるとき、前記ＴＤＤコンポーネントキャリア上で前記ＡＣＫ／ＮＡＣＫフィードバックを受信することと、
アップリンクサブフレームが前記ＴＤＤコンポーネントキャリア上で利用可能でないとき、前記ＦＤＤコンポーネントキャリア上で前記ＡＣＫ／ＮＡＣＫフィードバックを受信することと
を行うようにさらに構成された、請求項３７に記載の装置。
【請求項３９】
前記複数のコンポーネントキャリアが周波数分割複信（ＦＤＤ）コンポーネントキャリアを備え、前記処理システムは、
前記ＦＤＤコンポーネントキャリア上で前記リソース許可を送ることと、ここにおいて、前記リソース許可が前記ＴＤＤコンポーネントキャリア上でのダウンリンクデータのための許可を備える、
ダウンリンクデータのための前記許可に応答して、前記有効アップリンク：ダウンリンク区分に従って決定されたサブフレーム中で、前記ＵＥからアップリンク信号を受信することと
を行うようにさらに構成された、請求項３６に記載の装置。
【請求項４０】
前記ＵＥからの前記アップリンク信号が、前記ダウンリンクデータ送信に関連するＡＣＫ／ＮＡＣＫフィードバックを備え、前記ＡＣＫ／ＮＡＣＫフィードバックが、前記有効アップリンク：ダウンリンク区分におけるアップリンクサブフレームの利用可能性に基づいて受信される、請求項３９に記載の装置。
【請求項４１】
前記複数のコンポーネントキャリアが周波数分割複信（ＦＤＤ）コンポーネントキャリアを備え、前記処理システムは、
前記ＦＤＤコンポーネントキャリア上で前記リソース許可を送ることと、ここにおいて、前記リソース許可が前記ＴＤＤコンポーネントキャリア上でのアップリンクデータのための許可を備える、
アップリンクデータを受信することと、
前記アップリンクデータに応答して、前記有効アップリンクダウンリンク区分に従って決定されたサブフレーム中で、前記基地局からダウンリンク信号を送ることと
を行うように構成された、請求項３６に記載の装置。
【請求項４２】
前記基地局からの前記ダウンリンク信号が、前記アップリンクデータ送信に関連するＡＣＫ／ＮＡＣＫフィードバックを備える、請求項４１に記載の装置。
【請求項４３】
前記処理システムが、前記ネイバーセルにおける少なくとも１つのＴＤＤコンポーネントキャリアの前記アップリンク：ダウンリンク構成の変更に従って前記有効アップリンク：ダウンリンク区分を更新するようにさらに構成された、請求項３６に記載の装置。
【請求項４４】
前記１次コンポーネントキャリアが構成可能なアップリンク：ダウンリンク構成を有し、前記処理システムが、前記第１のセルにおける前記１次コンポーネントキャリアの前記アップリンク：ダウンリンク構成を前記ネイバーセルの前記１次コンポーネントキャリアの前記アップリンク：ダウンリンク構成と同期させるようにさらに構成された、請求項３５に記載の装置。
【請求項４５】
前記処理システムが、
前記第１のセルによってサービスされる１つまたは複数のＵＥとデータを交換するためのターゲット有効アップリンク：ダウンリンク区分を決定することと、
前記決定することの結果に少なくとも部分的に基づいて前記２次コンポーネントキャリアのアップリンク：ダウンリンク構成を調整することと
を行うようにさらに構成された、請求項３５に記載の装置。
【請求項４６】
前記処理システムが、
前記ＵＥによって観測され、前記基地局と前記近隣基地局とにおいて異なるアップリンク：ダウンリンク構成を有する前記２次コンポーネントキャリアから生じるセル間干渉の測度を決定することと、
前記決定された測度に基づいて前記１次コンポーネントキャリアと前記２次コンポーネントキャリアとのうちの１つ上で前記ＵＥをスケジュールすることと
を行うようにさらに構成された、請求項３５に記載の装置。
【請求項４７】
前記決定された測度が強いセル間干渉に対応するとき、前記ＵＥが前記１次コンポーネントキャリア上でスケジュールされる、請求項４６に記載の装置。
【請求項４８】
前記決定された測度が強いセル間干渉に対応しないとき、前記ＵＥが前記２次コンポーネントキャリア上でスケジュールされる、請求項４６に記載の装置。
【請求項４９】
前記処理システムは、
前記ＵＥから第１のチャネル状態情報（ＣＳＩ）報告を受信することと、前記第１のＣＳＩ報告が第１のサブフレームタイプのための前記２次コンポーネントキャリアのためのものであり、ここにおいて、前記第１のサブフレームタイプのサブフレームが前記ネイバーセル中のＵＥから干渉を受けない、
前記ＣＳＩ報告に基づいて前記第１のサブフレームタイプのサブフレーム中の前記２次コンポーネントキャリア上で前記ＵＥをスケジュールすることと
を行うようにさらに構成された、請求項４６に記載の装置。
【請求項５０】
前記処理システムは、
前記ＵＥから第２のＣＳＩ報告を受信することと、前記第２の報告が前記ＵＥからの第２のサブフレームタイプのための前記２次コンポーネントキャリアのためのものであり、ここにおいて、前記第２のサブフレームタイプのサブフレームが前記ネイバーセル中の前記ＵＥから干渉を受ける、
前記第１のＣＳＩ報告に基づいて前記第１のサブフレームタイプのサブフレーム中の前記２次コンポーネントキャリア上で前記ＵＥをスケジュールするか、または前記第２のＣＳＩ報告に基づいて前記第２のサブフレームタイプのサブフレーム中の前記２次コンポーネントキャリア上で前記ＵＥをスケジュールすることと
を行うようにさらに構成された、請求項４９に記載の装置。
【請求項５１】
前記処理システムが、前記ＵＥの能力と、前記ＵＥに送るべきデータの量と、前記ＵＥのデータ要件とのうちの少なくとも１つにさらに基づいて、データ送信のためにその中で前記ＵＥをスケジュールすべき前記サブフレームを選択するようにさらに構成された、請求項３６に記載の装置。
【請求項５２】
前記基地局によってサービスされるユーザ機器（ＵＥ）のために構成された複数の時分割複信（ＴＤＤ）コンポーネントキャリアを決定するためのコードと、前記複数のＴＤＤコンポーネントキャリアが１次コンポーネントキャリアと２次コンポーネントキャリアとを含み、前記１次コンポーネントキャリアが近隣基地局の第１のセルと同じアップリンク：ダウンリンク構成を有し、前記２次コンポーネントキャリアが前記近隣基地局の第２のセルとは異なるアップリンク：ダウンリンク構成を有する、
前記ＵＥに前記１次コンポーネントキャリア上で制御情報を送るためのコードと、
前記複数のコンポーネントキャリアのうちの少なくとも１つ上でデータを前記ＵＥと交換するためのコードと
を備えるコンピュータ可読媒体
を備える、コンピュータプログラム製品。
【発明の詳細な説明】
【技術分野】
【０００１】
関連出願の相互参照
[0001]  本出願は、その全体が参照により本明細書に明確に組み込まれる、２０１２年９月２４日に出願された「METHOD AND APPARATUS FOR SUPPORTING HYBRID CARRIER AGGREGATION」と題する米国仮出願第６１／７０５，０９２号、および２０１３年９月４日に出願された「METHOD AND APPARATUS FOR SUPPORTING HYBRID CARRIER AGGREGATION」と題する米国特許出願第１４／０１８，２８５号の利益を主張する。
【０００２】
[0002]  本開示は、一般にワイヤレス通信に関し、より詳細には、ワイヤレス通信ネットワークにおいてハイブリッドキャリアアグリゲーションをサポートするための技法および装置に関する。
【背景技術】
【０００３】
[0003]  ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]  ワイヤレス通信ネットワークは、複数のキャリア上での動作をサポートし得る。キャリアは、通信のために使用される周波数の範囲を指し得、いくつかの特性に関連付けられ得る。たとえば、キャリアは、そのキャリア上での動作を記述するシステム情報および／または制御情報に関連付けられ得る。キャリアは、コンポーネントキャリア（ＣＣ：component carrier）、セル、サービングセル（serving cell）、周波数チャネルなどと呼ばれることもある。基地局は、１つまたは複数のキャリア上でデータと制御情報とをＵＥに送り得る。ＵＥも、１つまたは複数のキャリア上でデータと制御情報とを基地局に送り得る。
【発明の概要】
【０００６】
[0006]  本開示の一態様では、方法、コンピュータプログラム製品、および装置が提供される。本装置、たとえば、基地局は、本装置によってサービスされるユーザ機器（ＵＥ）のために構成された複数のコンポーネントキャリアを決定（determine）する。複数のコンポーネントキャリアは１次コンポーネントキャリア（primary component carrier）と２次コンポーネントキャリア（secondary component carrier）とを含む。１次コンポーネントキャリアは、近隣基地局（neighboring base station）の第１のセルと同じアップリンク：ダウンリンク構成を有する時分割複信（ＴＤＤ：time division duplex）キャリアであり得、２次コンポーネントキャリアは、近隣基地局の第２のセルとは異なるアップリンク：ダウンリンク構成を有するＴＤＤキャリアであり得る。本装置は、構成されたコンポーネントキャリアの有効アップリンクダウンリンクサブフレームパーティション（effective uplink-downlink subframe partition）に従ってデータをＵＥと交換する。有効アップリンクダウンリンクサブフレームパーティションは時間変動し得、本装置は、サービングセルとネイバーセル（neighbor cell）とにおける異なるＴＤＤ構成による干渉を制限するように動作し得る。
【図面の簡単な説明】
【０００７】
【図１】[0007]  ワイヤレス通信ネットワークを示す図。
【図２Ａ】[0008]  ＬＴＥにおけるＦＤＤのための例示的なフレーム構造を示す図。
【図２Ｂ】[0009]  ＬＴＥにおけるＴＤＤのための例示的なフレーム構造を示す図。
【図３Ａ】[0010]  ＨＡＲＱを用いたダウンリンク上でのデータ送信の一例を示す図。
【図３Ｂ】[0011]  ＨＡＲＱを用いたアップリンク上でのデータ送信の一例を示す図。
【図４Ａ】[0012]  連続キャリアアグリゲーション（contiguous carrier aggregation）の一例を示す図。
【図４Ｂ】[0013]  不連続キャリアアグリゲーション（non-contiguous carrier aggregation）の一例を示す図。
【図５】[0014]  異なるＣＣ構成をもつ３つのＣＣの展開の一例を示す図。
【図６Ａ】[0015]  複数のＣＣ上でのダウンリンクデータ送信のためにＦＤＤ  ＣＣ上で制御情報を送る一例を示す図。
【図６Ｂ】[0016]  複数のＣＣ上でのアップリンクデータ送信のためにＦＤＤ  ＣＣ上で制御情報を送る一例を示す図。
【図６Ｃ】[0017]  各サブフレームの有効ＵＬ：ＤＬ区分（effective UL:DL partitioning）に応じて異なるＣＣ上で制御情報を送る一例を示す図。
【図７】[0018]  異なるアップリンク：ダウンリンク構成をもつ４つのＴＤＤ  ＣＣの例示的な展開を示す図。
【図８】[0019]  ＴＤＤ  ＣＣのための異なるアップリンク：ダウンリンク構成によるセル間干渉を伴う２つのセルと２つのＵＥとの間の通信の一例を示す図。
【図９】[0020]  ＰＣＣのために同じアップリンク：ダウンリンク構成をもつ２つのＴＤＤ  ＣＣの例示的な展開を示す図。
【図１０】[0021]  キャリアアグリゲーションを用いた通信をサポートするためのプロセスの設計を示す図。
【図１１】[0022]  キャリアアグリゲーションを用いて通信するためのプロセスの設計を示す図。
【図１２】[0023]  キャリアアグリゲーションを用いた通信をサポートするためのプロセスの設計を示す図。
【図１３】[0024]  キャリアアグリゲーションを用いて通信するためのプロセス１３００の設計を示す図。
【図１４】[0025]  図１の基地局／ｅＮＢのうちの１つであり得る基地局／ｅＮＢおよび図１のＵＥのうちの１つであり得るＵＥの設計のブロック図。
【図１５】[0026]  ハイブリッドキャリアアグリゲーションをサポートするワイヤレス通信の方法のフローチャート。
【図１６】[0027]  例示的な装置中の異なるモジュール／手段／構成要素間のデータフローを示す概念データフロー図。
【図１７】[0028]  処理システムを採用する装置のためのハードウェア実装形態の一例を示す図。
【発明を実施するための形態】
【０００８】
[0029]  本明細書では、ハイブリッドキャリアアグリゲーション（hybrid carrier aggregation）を用いた通信をサポートするための技法が開示される。ハイブリッドキャリアアグリゲーションは、以下で説明するように、異なる構成の複数のキャリア上での動作を指す。これらの技法は、ＣＤＭＡ、ＴＤＭＡ、ＦＤＭＡ、ＯＦＤＭＡ、ＳＣ−ＦＤＭＡおよび他のワイヤレスネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（（登録商標）ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標）およびＷｉ−Ｆｉ  Ｄｉｒｅｃｔ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。周波数分割複信（ＦＤＤ：frequency division duplexing）と時分割複信（ＴＤＤ：time division duplexing）の両方における３ＧＰＰロングタームエボリューション（ＬＴＥ：Long Term Evolution）およびＬＴＥアドバンスト（ＬＴＥ−Ａ：LTE-Advanced）は、ダウンリンク上ではＯＦＤＭＡを採用し、アップリンク上ではＳＣ−ＦＤＭＡを採用する、Ｅ−ＵＴＲＡを使用するＵＭＴＳの最近のリリースである。ＵＴＲＡ、Ｅ−ＵＴＲＡ、ＧＳＭ、ＵＭＴＳ、ＬＴＥおよびＬＴＥ−Ａは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分においてＬＴＥ用語を使用する。
【０００９】
[0030]  図１に、ＬＴＥネットワークまたは何らかの他のワイヤレスネットワークであり得るワイヤレス通信ネットワーク１００を示す。ワイヤレスネットワーク１００は、いくつかの発展型ノードＢ（ｅＮＢ）１１０と他のネットワークエンティティとを含み得る。ｅＮＢは、ＵＥと通信するエンティティであり得、基地局、ノードＢ、アクセスポイントなどと呼ばれることもある。各ｅＮＢ１１０は、特定の地理的エリアに通信カバレージを与え得、カバレージエリア内に位置するＵＥのための通信をサポートし得る。ネットワーク容量を改善するために、ｅＮＢの全体的なカバレージエリアは複数（たとえば、３つ）のより小さいエリアに区分され得る。各々のより小さいエリアは、それぞれのｅＮＢサブシステムによってサービスされ得る。３ＧＰＰでは、「セル（cell）」という用語は、ｅＮＢのカバレージエリアおよび／またはこのカバレージエリアをサービスするｅＮＢサブシステムを指すことがある。概して、ｅＮＢは、１つまたは複数（たとえば、３つ）のセルをサポートし得る。セルはまた、通信についてキャリアに関連付けられ得る。
【００１０】
[0031]  ワイヤレスネットワーク１００はまた、リレー（relay）を含み得る。リレーは、上流エンティティ（たとえば、ｅＮＢまたはＵＥ）からデータの送信を受信し、そのデータの送信を下流エンティティ（たとえば、ＵＥまたはｅＮＢ）に送るエンティティであり得る。リレーはまた、他のＵＥに対する送信を中継するＵＥであり得る。
【００１１】
[0032]  ネットワークコントローラ１４０は、ｅＮＢのセットに結合し得、これらのｅＮＢの協調および制御を行い得る。ネットワークコントローラ１４０はバックホール（backhaul）を介してｅＮＢと通信し得る。ｅＮＢも、バックホールを介して互いに通信し得る。
【００１２】
[0033]  ＵＥ１２０はワイヤレスネットワーク全体に分散され得、各ＵＥは固定またはモバイルであり得る。ＵＥは、移動局、端末、アクセス端末、加入者ユニット、局、ノードなどと呼ばれることもある。ＵＥは、セルラーフォン、スマートフォン、タブレット、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、ネットブック、スマートブックなどであり得る。ＵＥは、ｅＮＢ、リレー、他のＵＥなどと通信することが可能であり得る。
【００１３】
[0034]  ワイヤレスネットワーク１００はＦＤＤおよび／またはＴＤＤを利用し得る。ＦＤＤの場合、ダウンリンクおよびアップリンクは別々の周波数チャネルを割り振られ得る。ダウンリンク送信は１つの周波数チャネル上で送られ得、アップリンク送信は別の周波数チャネル上で送られ得る。ＴＤＤの場合、ダウンリンクおよびアップリンクは同じ周波数チャネルを共有し得、ダウンリンク送信およびアップリンク送信は、異なる時間期間において同じ周波数チャネル上で送られ得る。
【００１４】
[0035]  図２Ａに、ＬＴＥにおけるＦＤＤのための例示的なフレーム構造２００を示す。ダウンリンクおよびアップリンクの各々の送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２Ａに示されているように）ノーマルサイクリックプレフィックス（normal cyclic prefix）の場合は７つのシンボル期間、または拡張サイクリックプレフィックスの場合は６つのシンボル期間を含み得る。各サブフレーム中の２Ｌ個のシンボル期間には、０〜２Ｌ−１のインデックスが割り当てられ得る。ＦＤＤの場合、ダウンリンクのために使用される周波数チャネルのための各サブフレームはダウンリンクサブフレームと呼ばれることがある。アップリンクのために使用される周波数チャネルのための各サブフレームはアップリンクサブフレームと呼ばれることがある。
【００１５】
[0036]  ダウンリンクサブフレームは、制御領域とデータ領域とを含み得る。制御領域は、ダウンリンクサブフレームの最初のＱ個のシンボル期間を含み得、ただし、Ｑは１、２、３または４に等しいことがあり、サブフレームごとに変化し得る。データ領域は、ダウンリンクサブフレームの残りのシンボル期間を含み得る。
【００１６】
[0037]  図２Ｂに、ＬＴＥにおけるＴＤＤのための例示的なフレーム構造２５０を示す。ダウンリンクおよびアップリンクの送信タイムラインは無線フレームの単位に区分され得、各無線フレームは、０〜９のインデックスをもつ１０個のサブフレームに区分され得る。ＬＴＥは、ＴＤＤのためのいくつかのアップリンク：ダウンリンク構成をサポートする。すべてのアップリンク：ダウンリンク構成について、サブフレーム０および５はダウンリンクのために使用され、サブフレーム２はアップリンクのために使用される。サブフレーム３、４、７、８および９は、それぞれアップリンク：ダウンリンク構成に応じてダウンリンクまたはアップリンクのために使用され得る。サブフレーム１は、ダウンリンク制御チャネルならびにデータ送信のために使用されるダウンリンクパイロットタイムスロット（ＤｗＰＴＳ：Downlink Pilot Time Slot）と、無送信のガード期間（ＧＰ：Guard Period）と、ランダムアクセスチャネル（ＲＡＣＨ：random access channel）またはサウンディング基準信号（ＳＲＳ：sounding reference signal）のいずれかのために使用されるアップリンクパイロットタイムスロット（ＵｐＰＴＳ：Uplink Pilot Time Slot）とから構成される３つの特殊フィールドを含む。サブフレーム６は、アップリンク：ダウンリンク構成に応じて、ＤｗＰＴＳのみ、またはすべての３つの特殊フィールド、またはダウンリンクサブフレームを含み得る。ＤｗＰＴＳ、ＧＰおよびＵｐＰＴＳは、異なるサブフレーム構成について異なる持続時間を有し得る。ＴＤＤの場合、ダウンリンクのために使用される各サブフレームはダウンリンクサブフレームと呼ばれることがあり、アップリンクのために使用される各サブフレームはアップリンクサブフレームと呼ばれることがある。
【００１７】
[0038]  表１に、ＴＤＤ動作をサポートするＬＴＥネットワークにおいて利用可能な７つの例示的なアップリンク：ダウンリンク構成を記載する。各アップリンク：ダウンリンク構成は、各サブフレームが（表１において「Ｄ」として示される）ダウンリンクサブフレームであるのか、（表１において「Ｕ」として示される）アップリンクサブフレームであるのか、（表１において「Ｓ」として示される）特殊サブフレームであるのかを示す。
【表１】
2015534371.tif 000003
【００１８】
[0039]  ＦＤＤとＴＤＤの両方について、セルは、ダウンリンクサブフレームの制御領域中で物理ダウンリンク制御チャネル（ＰＤＣＣＨ：Physical Downlink Control Channel）、物理ＨＡＲＱインジケータチャネル（ＰＨＩＣＨ：Physical HARQ Indicator Channel）、および／または他の物理チャネルを送信し得る。ＰＤＣＣＨは、ダウンリンク許可、アップリンク許可など、ダウンリンク制御情報（ＤＣＩ：downlink control information）を搬送し得る。ＰＨＩＣＨは、ハイブリッド自動再送信（ＨＡＲＱ：hybrid automatic retransmission）を用いてアップリンク上でＵＥによって送られるデータ送信のための肯定応答／否定応答（ＡＣＫ／ＮＡＣＫ）を搬送し得る。セルはまた、ダウンリンクサブフレームのデータ領域中で物理ダウンリンク共有チャネル（ＰＤＳＣＨ：Physical Downlink Shared Channel）および／または他の物理チャネルを送信し得る。ＰＤＳＣＨは、ダウンリンク上でのデータ送信のためにスケジュールされたＵＥのためのデータ、および／または他の情報を搬送し得る。
【００１９】
[0040]  ＦＤＤとＴＤＤの両方について、ＵＥは、アップリンクサブフレームの制御領域中で物理アップリンク制御チャネル（ＰＵＣＣＨ：Physical Uplink Control Channel）を送信するか、またはアップリンクサブフレームのデータ領域中で物理アップリンク共有チャネル（ＰＵＳＣＨ：Physical Uplink Shared Channel）を送信し得る。ＰＵＣＣＨは、チャネル状態情報（ＣＳＩ：channel state information）などのアップリンク制御情報（ＵＣＩ：uplink control information）、ＨＡＲＱを用いてダウンリンク上でＵＥに送られるデータ送信に対するＡＣＫ／ＮＡＣＫ、スケジューリング要求などを搬送し得る。ＰＵＳＣＨはデータおよび／またはアップリンク制御情報を搬送し得る。
【００２０】
[0041]  ＬＴＥにおける様々なチャネルは、公開されている「Evolved Universal Terrestrial Radio Access (E-UTRA); Physical Channels and Modulation」と題する３ＧＰＰ  ＴＳ  ３６．２１１に記載されている。
【００２１】
[0042]  ワイヤレスネットワーク１００は、信頼性を改善するために、ＨＡＲＱを用いたデータ送信をサポートし得る。ＨＡＲＱでは、送信機（たとえば、ｅＮＢ）は、トランスポートブロックの初期送信を送り得、必要な場合、トランスポートブロックが受信機（たとえば、ＵＥ）によって正しく復号されるか、またはトランスポートブロックの最大数の送信が行われるか、または何らかの他の終了条件に遭遇するまで、トランスポートブロックの１つまたは複数の追加の送信を送り得る。トランスポートブロックは、パケット、コードワードなどと呼ばれることもある。トランスポートブロックの各送信の後に、受信機は、トランスポートブロックを復元することを試みるためにトランスポートブロックのすべての受信された送信を復号し得る。受信機は、トランスポートブロックが正しく復号された場合はＡＣＫを送るか、またはトランスポートブロックが誤って復号された場合はＮＡＣＫを送り得る。送信機は、ＮＡＣＫが受信された場合はトランスポートブロックの別の送信を送り得、ＡＣＫが受信された場合はトランスポートブロックの送信を終了し得る。
【００２２】
[0043]  ＬＴＥは、アップリンク上では同期ＨＡＲＱをサポートし、ダウンリンク上では非同期ＨＡＲＱをサポートする。同期ＨＡＲＱの場合、トランスポートブロックのすべての送信は、単一のＨＡＲＱインターレースのサブフレーム中で送られ得、これは、均等に離間したサブフレームを含み得る。非同期ＨＡＲＱの場合、トランスポートブロックの各送信は任意のサブフレーム中で送られ得る。
【００２３】
[0044]  特定のＨＡＲＱタイムラインが、ＨＡＲＱを用いたデータ送信のために使用され得る。ＨＡＲＱタイムラインは、許可をその中で送るべき特定のサブフレームと、許可に基づいてデータをその中で送るべき特定のサブフレームと、データ送信に対するＡＣＫ／ＮＡＣＫをその中で送るべき特定のサブフレームとを示し得る。
【００２４】
[0045]  図３Ａに、ＨＡＲＱを用いたダウンリンク上でのデータ送信の一例を示す。ｅＮＢが、ダウンリンク上でのデータ送信のためにＵＥをスケジュールし得る。ｅＮＢは、サブフレームｔD1中でＵＥにＰＤＣＣＨ上でダウンリンク（ＤＬ）許可を送り、ＰＤＳＣＨ上で１つまたは複数のトランスポートブロックのデータ送信を送り得る。ＵＥは、ダウンリンク許可を受信し得、ダウンリンク許可に基づいてＰＤＳＣＨ上で受信されたデータ送信を処理（たとえば、復調および復号）し得る。ＵＥは、各トランスポートブロックが正しく復号されたのか誤って復号されたのかに基づいて各トランスポートブロックに対するＡＣＫ／ＮＡＣＫを決定し得る。ＵＥは、サブフレームｔD2中でｅＮＢにＰＵＣＣＨまたはＰＵＳＣＨ上ですべてのトランスポートブロックに対するＡＣＫ／ＮＡＣＫを送り得る。ｅＮＢは、ＵＥからＡＣＫ／ＮＡＣＫを受信し得る。ｅＮＢは、ＡＣＫがそれに対して受信された各トランスポートブロックの送信を終了し得、ＮＡＣＫがそれに対して受信された各トランスポートブロックの別の送信を送り得る。
【００２５】
[0046]  図３Ａに示されているように、ダウンリンクのＨＡＲＱタイムラインは、ダウンリンクサブフレームｔD1中で送られるダウンリンク許可について、データ送信が同じダウンリンクサブフレーム中で送られ得、ＡＣＫ／ＮＡＣＫがｎUL_ACK個のサブフレーム後にアップリンクサブフレームｔD2中で送られ得ることを示し得、ただし、ｔD2＝ｔD1＋ｎUL_ACKである。ＬＴＥでは、ＦＤＤの場合はｎUL_ACK＝４であり、ＴＤＤの場合はｎUL_ACK≧４である。
【００２６】
[0047]  図３Ｂに、ＨＡＲＱを用いたアップリンク上でのデータ送信の一例を示す。ｅＮＢが、アップリンク上でのデータ送信のためにＵＥをスケジュールし得る。ｅＮＢは、サブフレームｔU1中でＵＥにＰＤＣＣＨ上でアップリンク（ＵＬ）許可を送り得る。ＵＥは、アップリンク許可を受信し得、サブフレームｔU2中でＰＵＳＣＨ上で１つまたは複数のトランスポートブロックのデータ送信を送り得る。ｅＮＢは、アップリンク許可に基づいてＰＵＳＣＨ上で受信されたデータ送信を処理（たとえば、復調および復号）し得る。ｅＮＢは、各トランスポートブロックが正しく復号されたのか誤って復号されたのかに基づいて各トランスポートブロックに対するＡＣＫ／ＮＡＣＫを決定し得る。ｅＮＢは、サブフレームｔU3中でＵＥにＰＨＩＣＨ上ですべてのトランスポートブロックに対するＡＣＫ／ＮＡＣＫを送り得る。ｅＮＢは、ｅＮＢによって誤って復号された各トランスポートブロックのデータ送信のためにＵＥをスケジュールし得る（図３Ｂには示されていない）。
【００２７】
[0048]  図３Ｂに示されているように、アップリンクのＨＡＲＱタイムラインは、ダウンリンクサブフレームｔU1中で送られるアップリンク許可について、データ送信がｎUL_Data個のサブフレーム後にアップリンクサブフレームｔU2中で送られ得、ＡＣＫ／ＮＡＣＫがｎDL_ACK個のサブフレーム後にダウンリンクサブフレームｔU3中で送られ得ることを示し得、ただし、ｔU2＝ｔU1＋ｎUL_DataおよびｔU3＝ｔU2＋ｎDL_ACKである。ＬＴＥでは、ＦＤＤの場合はｎUL_Data＝４およびｎDL_ACK＝４であり、ＴＤＤの場合はｎUL_Data≧４およびｎDL_ACK≧４である。ＴＤＤの場合、ｎUL_ACK、ｎUL_Data、およびｎDL_ACKは、異なるアップリンク：ダウンリンク構成について異なり、また、所与のアップリンク：ダウンリンク構成の異なるサブフレームについて異なることがある。
【００２８】
[0049]  ワイヤレスネットワーク１００は、キャリアアグリゲーションまたはマルチキャリア動作と呼ばれることがある、複数のコンポーネントキャリア（ＣＣ）上での動作をサポートし得る。ＵＥは、キャリアアグリゲーションのために、ダウンリンクのための複数のＣＣと、アップリンクのための１つまたは複数のＣＣとで構成され得る。ＦＤＤの場合、ＣＣは、ダウンリンクのための１つの周波数チャネルと、アップリンクのための別の周波数チャネルとを備え得る。ＴＤＤの場合、ＣＣは、ダウンリンクとアップリンクの両方のために使用される単一の周波数チャネルを備え得る。ＦＤＤのために構成されたＣＣはＦＤＤ  ＣＣと呼ばれることがある。ＴＤＤのために構成されたＣＣはＴＤＤ  ＣＣと呼ばれることがある。ｅＮＢは、１つまたは複数のＣＣ上でデータと制御情報とをＵＥに送信し得る。ＵＥは、１つまたは複数のＣＣ上でデータと制御情報とをｅＮＢに送信し得る。各ＣＣは、独立して、たとえば、独立した制御およびデータ送信を用いて動作させられ得る。
【００２９】
[0050]  図４Ａに、連続キャリアアグリゲーションの一例を示す。Ｋ個のＣＣが利用可能であり得、互いに隣接し得、ただし、概して、Ｋは任意の整数値であり得る。Ｋは、いくつかのＬＴＥリリースでは５以下に制限され得る。各ＣＣは最高２０ＭＨｚの帯域幅を有し得る。全体的なシステム帯域幅は、５つのＣＣがサポートされるとき、最高１００ＭＨｚであり得る。
【００３０】
[0051]  図４Ｂに、不連続キャリアアグリゲーション（non-contiguous carrier aggregation）の一例を示す。Ｋ個のＣＣが利用可能であり得、互いに別個であり得る。各ＣＣは最高２０ＭＨｚの帯域幅を有し得る。
【００３１】
[0052]  ＬＴＥリリース１０では、ＵＥは、キャリアアグリゲーションのための最高５つのＣＣで構成され得る。各ＣＣは、最高２０ＭＨｚの帯域幅を有し得、ＬＴＥリリース８との後方互換性があり得る。したがって、ＵＥは、最高５つのＣＣについて最高１００ＭＨｚで構成され得る。１つの設計では、１つのＣＣが、ダウンリンクのための１次ＣＣ（ＰＣＣ：primary CC）に指定され得、ダウンリンクＰＣＣと呼ばれることがある。ダウンリンクＰＣＣは、ダウンリンク許可、アップリンク許可、ＡＣＫ／ＮＡＣＫなど、あるダウンリンク制御情報を搬送し得る。１つの設計では、１つのＣＣが、アップリンクのための１次ＣＣに指定され得、アップリンクＰＣＣと呼ばれることがある。アップリンクＰＣＣは、ＡＣＫ／ＮＡＣＫ、ＣＳＩなど、あるアップリンク制御情報を搬送し得る。１つの設計では、ダウンリンクＰＣＣはアップリンクＰＣＣと同じであり得、両方がＰＣＣと呼ばれることがある。別の設計では、ダウンリンクＰＣＣはアップリンクＰＣＣとは異なり得る。両方の設計について、各リンクのＰＣＣはそのリンクのアンカーＣＣとして働き得る。ＰＣＣは、ＰＣＣの制御情報、および場合によっては他のＣＣの制御情報を搬送し得る。
【００３２】
[0053]  キャリアアグリゲーションのために、ＵＥが、ダウンリンク上で１つのＰＣＣおよび１つまたは複数の２次ＣＣ（ＳＣＣ：secondary CC）上での動作をサポートし得る。ＵＥは、アップリンク上で１つのＰＣＣおよび０個以上のＳＣＣ上での動作をもサポートし得る。ＳＣＣは、ＰＣＣでないＣＣである。キャリアアグリゲーションは、ＵＥ固有であり得、各ＵＥについて別々に構成され得る。異なるＵＥは、異なる数の構成されたＣＣ、異なるＰＣＣなどに関連付けられ得る。
【００３３】
[0054]  各ＣＣは特定のＣＣ構成に関連付けられ得る。ＣＣのＣＣ構成は、ＣＣの特定の複信モード（たとえば、ＦＤＤまたはＴＤＤ）を示し、ＴＤＤの場合、ＣＣの特定のアップリンク：ダウンリンク構成を示し得る。
【００３４】
[0055]  ＬＴＥリリース１０は、同じＣＣ構成をもつ複数のＣＣのためのキャリアアグリゲーションをサポートする。特に、キャリアアグリゲーションのためのすべてのＣＣはＦＤＤまたはＴＤＤのいずれかのために構成され、ＦＤＤ  ＣＣとＴＤＤ  ＣＣとの混合は可能にされない。さらに、特殊サブフレームは異なるＣＣについて別々に構成され得るが、ＣＣがＴＤＤのために構成された場合、すべてのＣＣは同じアップリンク：ダウンリンク構成を有する。同じＦＤＤ構成またはＴＤＤ構成ならびに同じアップリンク：ダウンリンク構成を有するようにすべてのＣＣを制限することが動作を簡略化し得る。
【００３５】
[0056]  ＬＴＥリリース１１および／またはそれ以降は、異なるＣＣ構成をもつ複数のＣＣのためのキャリアアグリゲーションをサポートし得る。たとえば、ＦＤＤ  ＣＣとＴＤＤ  ＣＣとのアグリゲーションがサポートされ得る。別の例として、ＴＤＤのための異なるアップリンク：ダウンリンク構成をもつＣＣのアグリゲーションがサポートされ得る。異なるＣＣのための異なるアップリンク：ダウンリンク構成は、（ｉ）たとえば、表１に示されているような、ＴＤＤのための異なるアップリンク：ダウンリンク構成、（ｉｉ）リレーの動作をサポートするためのダウンリンクサブフレームとアップリンクサブフレームとの区分、（ｉｉｉ）ホームｅＮＢ、ピコｅＮＢなどをサポートするためのダウンリンクサブフレームとアップリンクサブフレームとの割振り、および／または（ｉｖ）他の理由など、様々な理由に起因し得る。異なるアップリンク：ダウンリンク構成をもつＣＣをサポートすることは、展開におけるより多くのフレキシビリティを与え得る。各ＣＣは、シングルキャリアモードでＬＴＥリリース８、９または１０における単一のＣＣとの後方互換性があり得る。
【００３６】
[0057]  本開示の一態様では、複数のＣＣ上での通信がサブフレームごとにサポートされ得る。これらの複数のＣＣは、１つまたは複数のＦＤＤ  ＣＣおよび／または１つまたは複数のＴＤＤ  ＣＣを含み得、同じまたは異なるアップリンク：ダウンリンク構成のＴＤＤ  ＣＣを含み得る。異なるサブフレームは異なるＵＬ：ＤＬ区分に関連付けられ得る。各サブフレームの「ＵＬ：ＤＬ区分」は、そのサブフレーム中のすべてのＣＣのためのアップリンクサブフレームの数とダウンリンクサブフレームの数とを示し得る。各サブフレームについての、スケジューリング、制御情報の送信など、通信の様々な属性は、そのサブフレームのＵＬ：ＤＬ区分に依存し得る。
【００３７】
[0058]  サブフレームごとの動作は、ＦＤＤ  ＣＣとＴＤＤ  ＣＣとの組合せをもつハイブリッドキャリアアグリゲーションに適用可能であり得る。概して、任意の数のＦＤＤ  ＣＣと任意の数のＴＤＤ  ＣＣとが構成されるかまたは利用可能であり得る。各ＴＤＤ  ＣＣは任意のアップリンク：ダウンリンク構成に関連付けられ得る。各サブフレームのＵＬ：ＤＬ区分はすべてのＣＣのＣＣ構成に依存し得る。
【００３８】
[0059]  図５に、異なるＣＣ構成をもつ３つのＣＣの例示的な展開を示す。この例では、ＣＣ１は、ＦＤＤのために構成され、２つの周波数チャネルを含む。一方の周波数チャネルは、ダウンリンクのためのものであり、ダウンリンクサブフレームを含む。他方の周波数チャネルは、アップリンクのためのものであり、アップリンクサブフレームを含む。ＣＣ２は、アップリンク：ダウンリンク構成１をもつＴＤＤのために構成される。ＣＣ２のサブフレーム０、４、５および９はダウンリンクサブフレームであり、ＣＣ２のサブフレーム１および６は特殊サブフレームであり、ＣＣ２の残りのサブフレーム２、３、７および８はアップリンクサブフレームである。ＣＣ３は、アップリンク：ダウンリンク構成３をもつＴＤＤのために構成される。ＣＣ３のサブフレーム０、５および７〜９はダウンリンクサブフレームであり、ＣＣ３のサブフレーム１および６は特殊サブフレームであり、ＣＣ３の残りのサブフレーム２〜４はアップリンクサブフレームである。ダウンリンクサブフレームと特殊サブフレームとは図５において「Ｄ」として示され、アップリンクサブフレームは図５において「Ｕ」として示されている。
【００３９】
[0060]  図５に示されているように、ＦＤＤ  ＣＣ１は１：１のＵＬ：ＤＬ区分に関連付けられ、ＴＤＤ  ＣＣ２は４：６のＵＬ：ＤＬ区分に関連付けられ、ＴＤＤ  ＣＣ３は３：７のＵＬ：ＤＬ区分に関連付けられる。Ｕ：ＶのＵＬ：ＤＬ区分は、所与の時間間隔、たとえば、無線フレーム中にＵ個のアップリンクサブフレームとＶ個のダウンリンクサブフレームとがあることを意味する。
【００４０】
[0061]  同じく図５に示されているように、各サブフレームは、そのサブフレーム中のすべてのＣＣのための特定の数のダウンリンクサブフレームと特定の数のアップリンクサブフレームとを示す「有効ＵＬ：ＤＬ区分（effective UL:DL partitioning）」に関連付けられる。図５に示されている例では、サブフレーム０、１、５、６および９はそれぞれ１：３の有効ＵＬ：ＤＬ区分に関連付けられる。サブフレーム２および３はそれぞれ３：１の有効ＵＬ：ＤＬ区分に関連付けられる。サブフレーム４、７および８はそれぞれ２：２の有効ＵＬ：ＤＬ区分に関連付けられる。
【００４１】
[0062]  １つの設計では、ＵＥは、各サブフレームのＵＬ：ＤＬ区分を考慮に入れることによってダウンリンクおよび／またはアップリンク上でのデータ送信のためにスケジュールされ得る。各サブフレームについて、スケジューラは、以下のうちの１つまたは複数に基づいてスケジューリング決定を行い得る。
【００４２】
１．サブフレームの有効ＵＬ：ＤＬ区分、
２．ＵＥ能力（capability）、
３．ＵＥごとのダウンリンクバッファおよびアップリンクバッファ中のデータの量、
４．各ＵＥのサービス品質（ＱｏＳ）および／または他のデータ要件、ならびに
５．他のファクタ
[0063]  各サブフレームの有効ＵＬ：ＤＬ区分はすべてのＣＣのＣＣ構成に基づいて決定され得る。各無線フレームの異なるサブフレームは、たとえば、図５に示されているように、異なる有効ＵＬ：ＤＬ区分に関連付けられ得る。各サブフレームの有効ＵＬ：ＤＬ区分は、各セルにおけるトラフィック負荷などの様々なファクタに基づいて、時間とともに、たとえば、半静的または動的に変化し得る。ダウンリンク上で送るべきより多くのデータがあるＵＥは、１：１よりも大きいＵＬ：ＤＬ区分をもつサブフレームにおいて、またはアップリンクサブフレームよりも多くのダウンリンクサブフレームにおいてスケジュールされ得る。アップリンク上で送るべきより多くのデータを有するＵＥは、１：１よりも少ないＵＬ：ＤＬ区分をもつサブフレームにおいて、またはダウンリンクサブフレームよりも多くのアップリンクサブフレームにおいてスケジュールされ得る。スケジューラはまた、所与のＵＥを現在のサブフレームにおいてスケジュールするのがより良いのか将来のサブフレームにおいてスケジュールするのがより良いのかを決定するために、いくつかのサブフレームをルックアヘッド（look ahead）し得る。たとえば、ＵＥは、アップリンク上で送るべき大きい量のデータを有し得、現在のサブフレームまたは将来のサブフレームであり得る、最も多くの数のアップリンクサブフレームを有するＵＬ：ＤＬ区分に関連付けられたサブフレームにおいてスケジュールされ得る。
【００４３】
[0064]  ＵＥ能力は様々な方法で分類され得る。いくつかのＵＥは、ＦＤＤ  ＣＣまたはＴＤＤ  ＣＣであり得る単一のＣＣ上でデータを受信および送信することが可能であり得る。これらのＵＥの各々は、そのＵＥのために構成されたＣＣ上でスケジュールされ得る。いくつかの他のＵＥは、複数（Ｎ個）のダウンリンクＣＣ上でデータを受信することが可能であり得るが、ＦＤＤ  ＣＣであり得る単一のアップリンクＣＣ上で送信することが可能であり得る。これらのＵＥは、複数のダウンリンクサブフレームがあるときはいつでもスケジュールされ得る。いくつかのＵＥは、Ｎ個のダウンリンクＣＣとＭ個のアップリンクＣＣとの上でデータを受信および送信することが可能であり得、ただし、ＭおよびＮはそれぞれ１よりも大きくなり得、ＭはＮに等しいことも等しくないこともある。これらのＵＥは、複数のダウンリンクサブフレームまたは複数のアップリンクサブフレームがあるときはいつでもスケジュールされ得る。
【００４４】
[0065]  ＵＥにダウンリンク上で送るべきデータの量は、ＵＥのサービングセルによって知られ得るダウンリンクバッファサイズによって定量化され得る。ＵＥによってアップリンク上で送るべきデータの量は、バッファステータス報告（ＢＳＲ：buffer status report）を介してＵＥによって報告され得るアップリンクバッファサイズによって定量化され得る。大きいダウンリンクバッファサイズをもつＵＥは、アップリンクサブフレームよりも多くのダウンリンクサブフレームを有するＵＬ：ＤＬ区分に関連付けられたサブフレームにおいてスケジュールされ得る。大きいアップリンクバッファサイズをもつＵＥは、ダウンリンクサブフレームよりも多くのアップリンクサブフレームを有するＵＬ：ＤＬ区分に関連付けられたサブフレームにおいてスケジュールされ得る。
【００４５】
[0066]  ＵＥのデータ要件は、遅延、平均スループットなどの様々なパラメータによって定量化され得る。厳しい遅延要件をもつデータ（たとえば、音声データ）は、その遅延要件が満たされ得るようなサブフレームにおいてスケジュールされ得る。あまり厳しくない遅延要件をもつかまたは遅延要件のないデータ（たとえば、ウェブダウンロードデータ）は、効率を改善することができるサブフレームにおいてスケジュールされ得る。
【００４６】
[0067]  ＵＥは、ハイブリッドキャリアアグリゲーションをサポートするためにそれの能力を報告し得る。ｅＮＢは、ＵＥ能力に関する情報を使用して、所望のＵＬ：ＤＬ区分、または任意の特定の時間においてスケジューリングのために利用可能なサブフレームのセットなどを達成するために、データ送信のために異なるＣＣを構成および／またはアクティブにし得る。サブフレームにわたるＵＬ：ＤＬ区分の時間変動態様は、データ送信のためにＵＥをスケジュールするためのサブフレームを選択するために使用され得、また、キャリアアグリゲーションのためのＣＣの構成、構成されたＣＣのアクティブ化／非アクティブ化などをカバーするように拡張され得る。
【００４７】
[0068]  １つの設計では、制御情報は、すべてのＣＣ上でのデータ送信をサポートするために、ＦＤＤ  ＣＣ上で送られ得る。ＦＤＤ  ＣＣは、図５に示されているように、各サブフレーム中にダウンリンクサブフレームとアップリンクサブフレームとを含む。したがって、ダウンリンク制御情報およびアップリンク制御情報は、任意のサブフレーム中のＦＤＤ  ＣＣ上で送られ得る。対照的に、ダウンリンク制御情報はいくつかのサブフレーム中のみのＴＤＤ  ＣＣ上で送られ得、アップリンク制御情報はいくつかの他のサブフレーム中のＴＤＤ  ＣＣ上で送られ得る。
【００４８】
[0069]  図６Ａに、基地局が複数のＣＣ上でのダウンリンクデータ送信のための制御情報をＦＤＤ  ＣＣ上で送る、複数のコンポーネントキャリアのためのＵＬ：ＤＬ区分の一例を示す。図６Ａに示されている例では、３つのＣＣがＵＥのために構成され、ＦＤＤ  ＣＣ１と、アップリンク：ダウンリンク構成１をもつＴＤＤ  ＣＣ２と、アップリンク：ダウンリンク構成３をもつＴＤＤ  ＣＣ３とを含む。単一のダウンリンク許可または別個のダウンリンク許可が、ＦＤＤ  ＣＣ１とＴＤＤ  ＣＣ２とＴＤＤ  ＣＣ３との上でのスケジュールされたダウンリンクデータ送信に対して、サブフレーム０中のＦＤＤ  ＣＣ１上で送られ得る。データは、サブフレーム０中のＦＤＤ  ＣＣ１とＴＤＤ  ＣＣ２とＴＤＤ  ＣＣ３との上のダウンリンク上で送られ得る。３つのＣＣ上でのダウンリンクデータ送信に対するＡＣＫ／ＮＡＣＫが、サブフレーム４中のＦＤＤ  ＣＣ１上のアップリンク上で送られ得る。
【００４９】
[0070]  概して、それのサブフレームｔがダウンリンクサブフレームであるいずれかのＣＣ上でデータをスケジュールするために、１つまたは複数のダウンリンク許可がいずれかのサブフレームｔ中のＦＤＤ  ＣＣ上で送られ得る。すべてのスケジュールされたＣＣ上でのデータ送信に対するＡＣＫ／ＮＡＣＫは、４サブフレーム後に、サブフレームｔ＋４中のＦＤＤ  ＣＣ上で送られ得る。スケジューリング決定と、各サブフレーム中でダウンリンクデータ送信のために利用可能なＣＣとは、そのサブフレームの有効ＵＬ：ＤＬ区分に依存し得る。１つの設計では、すべてのＣＣのために同じＨＡＲＱタイムラインが使用され得、それにより、動作が簡略化され得る。
【００５０】
[0071]  ダウンリンク許可は、１つまたは複数のＣＣについてＣＳＩを報告するようにＵＥに要求し得る。ＵＥは、各要求されたＣＣについてＣＳＩを決定し得、ＦＤＤ  ＣＣ上でＡＣＫ／ＮＡＣＫとともにＣＳＩを送り得る。
【００５１】
[0072]  図６Ｂに、複数のＣＣ上でのアップリンクデータ送信のためにＦＤＤ  ＣＣ上で制御情報を送る一例を示す。図６Ｂに示されている例では、３つのＣＣがＵＥのために構成され、ＦＤＤ  ＣＣ１と、アップリンク：ダウンリンク構成１をもつＴＤＤ  ＣＣ２と、アップリンク：ダウンリンク構成３をもつＴＤＤ  ＣＣ３とを含む。現在の無線フレームのサブフレーム３中のＦＤＤ  ＣＣ１とＴＤＤ  ＣＣ２とＴＤＤ  ＣＣ３との上でのアップリンクデータ送信をスケジュールするために、単一のアップリンク許可または別個のアップリンク許可が、先行する無線フレームのサブフレーム９中のＦＤＤ  ＣＣ１上で送られ得る。データは、サブフレーム３中のＦＤＤ  ＣＣ１とＴＤＤ  ＣＣ２とＴＤＤ  ＣＣ３との上のアップリンク上で送られ得る。３つのＣＣ上でのアップリンクデータ送信に対するＡＣＫ／ＮＡＣＫが、サブフレーム７中のＦＤＤ  ＣＣ１上のダウンリンク上で送られ得る。
【００５２】
[0073]  基地局は、ハイブリッドＣＡ対応ＵＥのための有効サブフレームパーティション（effective subframe partition）に基づいて１つまたは複数のアップリンク許可を送り得る。たとえば、有効サブフレームパーティションに基づいて、それのサブフレームｔ＋４がアップリンクサブフレームであるいずれかのＣＣ上でデータをスケジュールするために、ＵＬ許可がいずれかのサブフレームｔ中のＦＤＤ  ＣＣ上で送られ得る。すべてのスケジュールされたＣＣ上でのデータ送信に対するＡＣＫ／ＮＡＣＫは、４サブフレーム後に、サブフレームｔ＋８中のＦＤＤ  ＣＣ上で送られ得る。同様に、それのスケジューリング決定を行うとき、基地局は、サブフレームｔ＋４の有効ＵＬ：ＤＬ区分に従って各サブフレームｔ中でＵＬ許可を送り得る。１つの設計では、すべてのＣＣのために同じＨＡＲＱタイムラインが使用され得、それにより、動作が簡略化され得る。
【００５３】
[0074]  表２に、図６Ａおよび図６Ｂに示された設計について、異なるタイプの制御情報がその中で送られるロケーション（またはどのＣＣか）を示す。ＦＤＤ  ＣＣ上でのデータ送信のためのダウンリンク許可、アップリンク許可、およびＡＣＫ／ＮＡＣＫなどのダウンリンク制御情報はＦＤＤ  ＣＣ上で送られ得る。ＴＤＤ  ＣＣ上でのデータ送信のためのダウンリンク制御情報もＦＤＤ  ＣＣ上で送られ得る。ＦＤＤ  ＣＣ上でのダウンリンクデータ送信のためのＡＣＫ／ＮＡＣＫおよびＣＳＩなど、アップリンク制御情報はＦＤＤ  ＣＣ上で送られ得る。ＴＤＤ  ＣＣ上でのダウンリンクデータ送信のためのアップリンク制御情報もＦＤＤ  ＣＣ上で送られ得る。
【表２】
2015534371.tif 000004
【００５４】
[0075]  別の設計では、制御情報は、ダウンリンクサブフレームとアップリンクサブフレームとの利用可能性（availability）に応じて異なるＣＣ上で送られ得る。たとえば、所与のＣＣ上でのデータ送信をサポートするためのアップリンク制御情報は、アップリンクサブフレームが利用可能である場合、そのＣＣ上で送られ得、またはそうではない場合、ＦＤＤ  ＣＣ上で送られ得る。
【００５５】
[0076]  図６Ｃに、各サブフレームの有効ＵＬ：ＤＬ区分に応じて異なるＣＣ上で制御情報を送る一例を示す。図６Ｃに示されている例では、３つのＣＣがＵＥのために構成され、ＦＤＤ  ＣＣ１と、アップリンク：ダウンリンク構成１をもつＴＤＤ  ＣＣ２と、アップリンク：ダウンリンク構成３をもつＴＤＤ  ＣＣ３とを含む。基地局は、サブフレーム０中のＦＤＤ  ＣＣ１とＴＤＤ  ＣＣ２とＴＤＤ  ＣＣ３との上でのスケジュールされたダウンリンクデータ送信に対して、サブフレーム０中のＦＤＤ  ＣＣ１上で単一のダウンリンク許可または別個のダウンリンク許可を送り得る。データは、サブフレーム０中のＦＤＤ  ＣＣ１とＴＤＤ  ＣＣ２とＴＤＤ  ＣＣ３との上のダウンリンク上で送られ得る。ＦＤＤ  ＣＣ１上でのダウンリンクデータ送信に対するＡＣＫ／ＮＡＣＫが、サブフレーム４中のＦＤＤ  ＣＣ１上のアップリンク上で送られ得る。ＴＤＤ  ＣＣ２上でのダウンリンクデータ送信に対するＡＣＫ／ＮＡＣＫもサブフレーム４中のＦＤＤ  ＣＣ１上で送られ得る。サブフレーム４はＴＤＤ  ＣＣ２のダウンリンクサブフレームであるので、ＵＥは、サブフレーム４中のＴＤＤ  ＣＣ２上でＡＣＫ／ＮＡＣＫを送ることができない。ＴＤＤ  ＣＣ３上でのダウンリンクデータ送信に対するＡＣＫ／ＮＡＣＫは、ＴＤＤ  ＣＣ３のアップリンクサブフレームであるサブフレーム４中のＴＤＤ  ＣＣ３上で送られ得る。
【００５６】
[0077]  この例を続けると、基地局は、サブフレーム５中のＦＤＤ  ＣＣ１とＴＤＤ  ＣＣ２とＴＤＤ  ＣＣ３との上でのスケジュールされたダウンリンクデータ送信に対して、サブフレーム５中のＦＤＤ  ＣＣ１上で単一のダウンリンク許可または別個のダウンリンク許可を送り得る。データは、サブフレーム５中のすべての３つのＣＣ上のダウンリンク上で送られ得る。すべての３つのＣＣ上でのダウンリンクデータ送信に対するＡＣＫ／ＮＡＣＫが、サブフレーム９中のＦＤＤ  ＣＣ１上で送られ得る。サブフレーム９はＴＤＤ  ＣＣ２とＴＤＤ  ＣＣ３の両方のためのダウンリンクサブフレームであるので、ＵＥは、サブフレーム９中のＴＤＤ  ＣＣ２またはＴＤＤ  ＣＣ３上でＡＣＫ／ＮＡＣＫを送ることができない。
【００５７】
[0078]  １つの設計では、ＵＥは、所与のサブフレームがＴＤＤ  ＣＣのアップリンクサブフレームである場合、そのサブフレーム中の好ましいＴＤＤ  ＣＣ上でＴＤＤ  ＣＣのアップリンク制御情報を送り得る。好ましいＴＤＤ  ＣＣがＤＬサブフレームを有する場合、ＵＥは、代わりに、所与のサブフレーム中のＦＤＤ  ＣＣ上でアップリンク制御情報を送り得る。ＵＥは、アップリンク制御情報をアップリンクサブフレーム中で送ることができるが、ダウンリンクサブフレーム中では送ることができない。この設計は、アップリンク制御情報が、所与のサブフレームのＵＬ：ＤＬ区分に応じてそのサブフレーム中の好適なまたは好ましいＣＣ上で送られ得ることを保証し得る。
【００５８】
[0079]  サブフレームごとの動作は、異なるアップリンク：ダウンリンク構成を有するＴＤＤ  ＣＣの組合せをもつハイブリッドキャリアアグリゲーションにも適用可能であり得る。概して、任意の数のＴＤＤ  ＣＣが構成されるかまたは利用可能であり得る。各ＴＤＤ  ＣＣは任意のアップリンク：ダウンリンク構成に関連付けられ得る。各サブフレームのＵＬ：ＤＬ区分はすべてのＣＣのＣＣ構成に依存し得る。
【００５９】
[0080]  図７に、異なるアップリンク：ダウンリンク構成をそれぞれもつ４つのＴＤＤ  ＣＣの例示的な展開を示す。この例では、ＴＤＤ  ＣＣ１は、アップリンク：ダウンリンク構成５を有し、ダウンリンクサブフレーム０、３〜５および７〜９と、アップリンクサブフレーム２と、特殊サブフレーム１および６とを含む。ＴＤＤ  ＣＣ２は、アップリンク：ダウンリンク構成１を有し、ダウンリンクサブフレーム０、４、５および９と、アップリンクサブフレーム２、３、７および９と、特殊サブフレーム１および６とを含む。ＴＤＤ  ＣＣ３は、アップリンク：ダウンリンク構成３を有し、ダウンリンクサブフレーム０、５および７〜９と、アップリンクサブフレーム２〜４と、特殊サブフレーム１および６とを含む。ＴＤＤ  ＣＣ４は、アップリンク：ダウンリンク構成０を有し、ダウンリンクサブフレーム０および５と、アップリンクサブフレーム２〜４および７〜９と、特殊サブフレーム１および６とを含む。
【００６０】
[0081]  図７に示されているように、ＴＤＤ  ＣＣ１は１：９のＵＬ：ＤＬ区分に関連付けられ、ＴＤＤ  ＣＣ２は４：６のＵＬ：ＤＬ区分に関連付けられ、ＴＤＤ  ＣＣ３は３：７のＵＬ：ＤＬ区分に関連付けられ、ＴＤＤ  ＣＣ４は６：４のＵＬ：ＤＬ区分に関連付けられる。同じく図７に示されているように、各サブフレームは、そのサブフレーム中のすべてのＣＣのための特定の数のアップリンクサブフレームと特定の数のダウンリンクサブフレームとを示す有効ＵＬ：ＤＬ区分に関連付けられる。図７に示されている例では、サブフレーム０、１、５および６はそれぞれ０：４の有効ＵＬ：ＤＬ区分に関連付けられる。サブフレーム２は４：０の有効ＵＬ：ＤＬ区分に関連付けられる。サブフレーム３は３：１の有効ＵＬ：ＤＬ区分に関連付けられる。サブフレーム４、７および８はそれぞれ２：２のＵＬ：ＤＬ区分に関連付けられる。サブフレーム９は１：３の有効ＵＬ：ＤＬ区分に関連付けられる。
【００６１】
[0082]  異なるセルは、所与のＴＤＤ  ＣＣのために異なるアップリンク：ダウンリンク構成を利用し得る。これにより、所与のセル中のいくつかのＵＥは、他のセル中の他のＵＥから強い干渉を観測することになり得る。
【００６２】
[0083]  図８に、ＴＤＤ  ＣＣのための異なるアップリンク：ダウンリンク構成によるセル間干渉を伴う２つのセルと２つのＵＥとの間の通信の一例を示す。セルＡとセルＢは、同じＴＤＤ  ＣＣ上で動作し得るが、このＴＤＤ  ＣＣのために異なるアップリンク：ダウンリンク構成を有し得る。所与のサブフレームｔは、セルＡのためのダウンリンクサブフレームと、セルＢのためのアップリンクサブフレームとに対応し得る。セルＡは、セルＡのためのダウンリンクサブフレームであるサブフレームｔ中のＴＤＤ  ＣＣ上でＵＥ１にデータおよび／または制御情報を送信し得る。ＵＥ２は、セルＢのためのアップリンクサブフレームであるサブフレームｔ中のＴＤＤ  ＣＣ上でセルＢにデータおよび／または制御情報を送信し得る。ＵＥ１は、ＵＥ２の比較的近くに位置し得、ＵＥ２からの強い干渉を観測し得る。ＵＥ２からの強い干渉は、セルＡからダウンリンク送信を受信するＵＥ１の能力に影響を及ぼし得る。
【００６３】
[0084]  本開示の別の態様では、ネイバーセルは、ＰＣＣ上でのセル間干渉を緩和するために、ＰＣＣのために同じアップリンク：ダウンリンク構成を利用し得る。これは、ネイバーセルがＰＣＣ上で同じダウンリンクサブフレームおよび同じアップリンクサブフレームを有することを保証し得る。したがって、ＰＣＣ上で一方のセルによってダウンリンク上で送られる制御情報は、他方のセル中のＵＥによって送られるアップリンク送信からの干渉を観測しなくなり得る。ただし、各セルは、異なるＴＤＤ構成を有する１つまたは複数の２次ＣＣをもサポートし得る。本開示は、近隣セルにおいて異なるＴＤＤ構成を利用する影響を低減するためのインテリジェントなスケジューリングおよび協調（coordination）のための技法を提供する。
【００６４】
[0085]  図９に、ＰＣＣのために同じアップリンク：ダウンリンク構成をもつ２つのＴＤＤ  ＣＣの例示的な展開を示す。この例では、セルＡとセルＢは両方ともＴＤＤ  ＣＣ１およびＴＤＤ  ＣＣ２の上で動作する。セルＡとセルＢの両方は、ＰＣＣであるＴＤＤ  ＣＣ１のために同じアップリンク：ダウンリンク構成３を利用する。セルＡおよびセルＢは、ＳＣＣであるＴＤＤ  ＣＣ２のために、それぞれ異なるアップリンク：ダウンリンク構成１およびアップリンク：ダウンリンク構成０を利用する。図９に示されているように、ＴＤＤ  ＣＣ１は、セルＡとセルＢの両方のための３：７のＵＬ：ＤＬ区分に関連付けられる。ＴＤＤ  ＣＣ２は、２つのセルのＴＤＤ  ＣＣ２のための異なるアップリンク：ダウンリンク構成により、セルＡのための４：６のＵＬ：ＤＬ区分と、セルＢのための６：４のＵＬ：ＤＬ区分とに関連付けられる。各セルについて、各サブフレームの有効ＵＬ：ＤＬ区分は、セルのための２つのＴＤＤ  ＣＣのアップリンク：ダウンリンク構成に依存する。各セルについて、有効ＵＬ：ＤＬ区分は、たとえば、図９に示されているように、サブフレームにわたって変化し得る。
【００６５】
[0086]  各セルは、各ダウンリンクサブフレーム中のＴＤＤ  ＣＣ１（ＰＣＣ）上でデータおよび／またはダウンリンク制御情報を送信し得る。２つのセルによってＴＤＤ  ＣＣ１のために同じアップリンク：ダウンリンク構成が使用されるので、各セル中のＵＥは、他のセル中のＵＥからの干渉を観測することなしに、各ダウンリンクサブフレーム中のＴＤＤ  ＣＣ１上でデータおよび／またはダウンリンク制御情報を受信することができる。
【００６６】
[0087]  ２つのセルによってＴＤＤ  ＣＣ２のために異なるアップリンク：ダウンリンク構成が使用され得る。したがって、ダウンリンクサブフレーム中のＴＤＤ  ＣＣ２上で一方のセルから（たとえば、ダウンリンクサブフレーム４中でセルＡから）データおよび／またはダウンリンク制御情報のダウンリンク送信を受信しているＵＥは、アップリンクサブフレーム中のＴＤＤ  ＣＣ２上で他方のセルに送信しているＵＥからの（たとえば、アップリンクサブフレーム４中でセルＢに送信しているＵＥからの）干渉を観測し得る。セルのカバレージエッジの近くに位置するＵＥは、カバレージエッジから離れて位置するＵＥよりも強いセル間干渉（inter-cell interference）を観測し得る。セル間干渉の影響を緩和するために、基地局は、セルのカバレージエッジの近くに位置し、強いセル間干渉を観測しているＵＥ（たとえば、図８のＵＥ２）を、ネイバーセルのアップリンク：ダウンリンク構成と同じアップリンク：ダウンリンク構成を有する（１つまたは複数の）ＴＤＤ  ＣＣ（たとえば、ＰＣＣ）上にスケジュールし得る。セルのカバレージエッジから離れて位置するＵＥ（たとえば、図８のＵＥ３）は、ネイバーセルのアップリンク：ダウンリンク構成とは異なるアップリンク：ダウンリンク構成を有する（１つまたは複数の）ＴＤＤ  ＣＣ上にスケジュールされ得る。
【００６７】
[0088]  基地局はセル間干渉を様々な方法で決定し得る。１つの設計では、強いセル間干渉は、ＵＥによって送られる測定値報告に基づいて決定され得る。報告は、ＵＥによって検出されたセルの受信信号強度、たとえば、しきい値を超える受信信号強度をもつセルの受信信号強度を含み得る。ネイバーセルの受信信号強度が高いしきい値（high threshold）を超える場合、ＵＥはネイバーセルからの強い干渉を観測すると見なされ得る。別の設計では、強いセル間干渉は、そのセルによってサービスされないＵＥのセルによって行われる干渉測定に基づいて決定され得る。強いセル間干渉は他の方法でも決定され得る。
【００６８】
[0089]  １つの設計では、近隣基地局は、異なるＴＤＤ構成に起因する干渉を低減するために協働し得る。ＰＣＣ上でのダウンリンク制御情報の信頼できる受信を可能にするために、ＰＣＣのみに対してセル間干渉協調（ＩＣＩＣ：inter-cell interference coordination）が実行され得る。たとえば、第１の近隣基地局は、第１の基地局がそれのＴＤＤ構成を変更したことを示すメッセージを第２の近隣基地局に送り得る。それに応答して、第２の近隣基地局は、第１の基地局のＴＤＤ構成に対応するようにそれのＴＤＤ構成を同期させ得る。セルによって観測されるトラフィック負荷に基づいて各ＳＣＣのために好適なアップリンク：ダウンリンク構成を選択するフレキシブルに各セルに与えるために、セル間干渉協調はＳＣＣに対して実行されないことがある。別の設計では、セル間干渉協調は、ＰＣＣと１つまたは複数の追加のＣＣとに対して実行され得る。セル間干渉協調は、必要に応じてネイバーセル間で動的に実行され得る。
【００６９】
[0090]  １つの設計では、各ＴＤＤ  ＣＣのアップリンク：ダウンリンク構成は半静的であり得る。別の設計では、各ＴＤＤ  ＣＣのアップリンク：ダウンリンク構成は動的に変更され得る。ネイバーセルがＰＣＣのために同じアップリンク：ダウンリンク構成を使用し、セル間干渉を緩和することができるように、ＰＣＣのアップリンク：ダウンリンク構成はこれらのセル間の協調とともに変更され得る。各ＳＣＣのアップリンク：ダウンリンク構成は、他のセルに通知することなしに各セルによって自律的に変更され得る。たとえば、ＵＬ：ＤＬ構成は、干渉報告に基づいて、またはトラフィック要件、すなわち、必要とされるＤＬサブフレームとＵＬサブフレームとの数に基づいて変化し得る。代替的に、セルは、干渉を緩和し、性能を改善するために、そのセルのためのＳＣＣのアップリンク：ダウンリンク構成を変更するより前に他のセルと協調し得る。
【００７０】
[0091]  セル間干渉協調はＳＣＣに対して実行されないことがある。したがって、ＳＣＣ上でＵＥに送られる送信はセル間干渉を観測し得る。所与のセルＡについて、別のセルＢ中のＵＥからの干渉を受け得るＳＣＣのダウンリンクサブフレームが識別され得、Ｉサブフレームと呼ばれることがある。ＩサブフレームはＳＣＣのダウンリンクサブフレームのサブセットであり得る。ダウンリンク上でセルＢを検出することができるセルＡ中のＵＥ（たとえば、しきい値レベルを上回るセルＢの受信電力をもつＵＥ）はビクティム（victim）ＵＥと呼ばれることがある。これらのＵＥは、Ｉサブフレーム中のＳＣＣ上でスケジュールされた場合、セル間干渉によって犠牲にされ得る。ダウンリンク上でセルＢを検出することができないセルＡ中のＵＥ（たとえば、しきい値レベルを下回るセルＢの受信電力をもつＵＥ）はセンター（center）ＵＥと呼ばれることがある。センターＵＥは、セルＢ中のカバレージのエッジに位置するＵＥからの送信により、依然としてセル間干渉によって犠牲にされ得る。
【００７１】
[0092]  スケジューラは、センターＵＥおよびビクティムＵＥを異なる方法でスケジュールし得る。１つの設計では、ＰＣＣのために、制約なしスケジューリングが使用され得る。センターＵＥならびにビクティムＵＥは、ＰＣＣのすべてのダウンリンクサブフレームにおいてスケジュールされ得る。ＳＣＣのために制約付きスケジューリングが使用され得る。１つの設計では、センターＵＥは、ＳＣＣのＩサブフレームと非Ｉサブフレームとについてのチャネル品質インジケータ（ＣＱＩ：channel quality indicator）報告、すなわち、Ｉサブフレームについての「非クリーン（unclean）」ＣＳＩ報告、および非Ｉサブフレームについての「クリーン（clean）」ＣＳＩ報告など、別個のチャネル状態情報（ＣＳＩ）報告を送り得る。センターＵＥは、Ｉサブフレームの非クリーンＣＳＩ報告に基づいてＩサブフレームにおいてスケジュールされ得、非ＩサブフレームのクリーンＣＳＩ報告に基づいて非Ｉサブフレームにおいてスケジュールされ得る。１つの設計では、ビクティムＵＥは、非ＩサブフレームについてのＣＳＩ報告を送り得、それらのＣＳＩ報告に基づいて非Ｉサブフレームにおいてのみスケジュールされ得る。センターＵＥおよびビクティムＵＥはＳＣＣ上に他の方法でもスケジュールされ得る。
【００７２】
[0093]  １つの設計では、ＵＥは、各サブフレームのＵＬ：ＤＬ区分を考慮に入れることによってダウンリンクおよび／またはアップリンク上でのデータ送信のためにスケジュールされ得る。各サブフレームについて、スケジューラは、サブフレームの有効ＵＬ：ＤＬ区分、ＵＥ能力、ＵＥごとのダウンリンクバッファとアップリンクバッファとの中のデータの量、各ＵＥのＱｏＳおよび／または他のデータ要件などを含む、上記に記載したファクタのうちの１つまたは複数に基づいてスケジューリング決定を行い得る。
【００７３】
[0094]  １つの設計では、制御情報は、すべてのＣＣ上でのデータ送信をサポートするために、ダウンリンクＰＣＣとアップリンクＰＣＣとの上で送られ得る。制御情報は、ＰＣＣのためのＨＡＲＱタイムラインに基づいて送られ得る。これにより、ダウンリンク制御情報がダウンリンクＰＣＣのダウンリンクサブフレーム中で送られ得ることと、アップリンク制御情報がアップリンクＰＣＣのアップリンクサブフレーム中で送られ得ることとが保証され得る。別の設計では、制御情報は、ダウンリンクサブフレームとアップリンクサブフレームとの利用可能性に応じて異なるＣＣ上で送られ得る。たとえば、所与のＴＤＤ  ＣＣ上でのデータ送信をサポートするためのアップリンク制御情報は、アップリンクサブフレームが利用可能である場合、そのＴＤＤ  ＣＣ上で送られ得、またはそうではない場合、アップリンクＰＣＣ上で送られ得る。
【００７４】
[0095]  ＦＤＤ  ＣＣとＴＤＤ  ＣＣとの組合せをもつハイブリッドキャリアアグリゲーション、または異なるアップリンク：ダウンリンク構成をもつＴＤＤ  ＣＣの組合せをもつハイブリッドキャリアアグリゲーションをサポートするための本明細書で説明する技法は、様々な利点を有し得る。第１に、本技法は、ネットワーク事業者がそれらのＦＤＤおよび／またはＴＤＤスペクトルをより良く利用することを可能にし得る。本技法は、サブフレームごとに細い粒度（fine granularity）でダウンリンクとアップリンクとの間で利用可能なＦＤＤおよび／またはＴＤＤスペクトルを区分することをサポートする。さらに、本技法は、時間的および／または地理的に変化し得るダウンリンクとアップリンクとの上のトラフィック負荷により良く一致するために、ＣＣのＣＣ構成への動的変更をサポートする。たとえば、図５および図７に示されているように、サブフレームにわたるすべてのＣＣのための広範囲の有効ＵＬ：ＤＬ区分が取得され得る。
【００７５】
[0096]  第２に、本明細書で説明する技法は、各ＣＣが、異なるタイプのＵＥをサポートすることを可能にする。各ＣＣは、ＦＤＤのみをサポートするＵＥと、ＴＤＤのみをサポートするＵＥと、ＦＤＤとＴＤＤの両方をサポートするＵＥとの任意の組合せをサポートし得る。ＦＤＤのみをサポートするＵＥは１つまたは複数のＦＤＤ  ＣＣ上で動作し得る。ＴＤＤのみをサポートするＵＥは１つまたは複数のＴＤＤ  ＣＣ上で動作し得る。ＦＤＤとＴＤＤの両方をサポートするＵＥは、１つまたは複数のＦＤＤ  ＣＣおよび／または１つまたは複数のＴＤＤ  ＣＣ上で動作し得る。このＵＥは、ＴＤＤ  ＣＣにわたって異なるアップリンク：ダウンリンク構成をサポートし得、複数のＦＤＤおよび／またはＴＤＤ  ＣＣにわたってダウンリンクサブフレームとアップリンクサブフレームとをアグリゲート（aggregate）し得る。
【００７６】
[0097]  第３に、本明細書で説明する技法は、ＦＤＤ  ＣＣとＴＤＤ  ＣＣとの上での動作をサポートするための制御情報のフレキシブルな送信をサポートし得る。ダウンリンク許可、アップリンク許可、およびＡＣＫ／ＮＡＣＫなどのダウンリンク制御情報は、（たとえば、図６Ａに示されているように）ＦＤＤ  ＣＣ上でおよび／または（たとえば、ＦＤＤ  ＣＣが利用可能でない場合に）ＴＤＤ  ＣＣ上で送られ得る。ＡＣＫ／ＮＡＣＫおよびＣＳＩなどのアップリンク制御情報は、（たとえば、図６Ｂに示されているように）ＦＤＤ  ＣＣ上でおよび／または（たとえば、図６Ｃに示されているように）ＴＤＤ  ＣＣのアップリンクサブフレーム中で送られ得る。ＦＤＤ  ＣＣ上でダウンリンク制御情報とアップリンク制御情報とを送ることにより、すべてのＣＣのために同じＨＡＲＱタイムラインが使用されることが可能になり得、それにより、動作が大幅に簡略化され得る。
【００７７】
[0098]  図１０に、キャリアアグリゲーションを用いた通信をサポートするためのプロセス１０００を示す。プロセス１０００は、（以下で説明するように）セル／基地局によって、または何らかの他のエンティティによって実行され得る。基地局は、ＵＥのために構成された複数のＣＣを決定する（ブロック１０１２）。複数のＣＣは、ＦＤＤ  ＣＣと、少なくとも１つのＴＤＤ  ＣＣとを含み得る。基地局は、ＵＥ能力に基づいてＵＥにＦＤＤ  ＣＣ上で制御情報を送る（ブロック１０１４）。基地局は、ＵＥ能力に基づいて制御情報を送るためのＦＤＤ  ＣＣを選択し得る。代替または追加として、基地局は、ＵＥ能力に基づく特定の方法で制御情報を送り得る。基地局は、ＵＥと交換されたシグナリングに基づいてＵＥ能力を取得し得る。基地局は、複数のＣＣのうちの少なくとも１つ上でデータをＵＥと交換する（たとえば、送信および／または受信する）（ブロック１０１６）。
【００７８】
[0099]  １つの設計では、スケジューリングが、各サブフレームの有効ＵＬ：ＤＬ区分に基づいて実行され得る。複数のサブフレームの各々のための有効ＵＬ：ＤＬ区分は、少なくとも１つのＴＤＤ  ＣＣの各々のためのアップリンク：ダウンリンク構成に基づいて決定され得る。少なくとも１つのＴＤＤ  ＣＣは構成可能なアップリンク：ダウンリンク構成を有し得、各サブフレームの有効ＵＬ：ＤＬ区分は時間とともに変化し得る。データ送信のためにその中でＵＥをスケジュールすべきサブフレームが、複数のサブフレームの各々のための有効ＵＬ：ＤＬ区分に基づいて選択され得る。データ送信のためにその中でＵＥをスケジュールすべきサブフレームは、ＵＥの能力、ＵＥにもしくはＵＥによって送るべきデータの量、ＵＥのデータ要件、および／または他のファクタにさらに基づいて選択され得る。
【００７９】
[00100]  制御情報は少なくとも１つのダウンリンク許可を含み得る。ブロック１０１６では、基地局は、少なくとも１つのダウンリンク許可に基づいて少なくとも１つのＣＣ上でデータをＵＥに送り得る。制御情報は少なくとも１つのアップリンク許可を含み得る。ブロック１０１６では、基地局は、少なくとも１つのアップリンク許可に基づいてＵＥによって少なくとも１つのＣＣ上で送られたデータを受信し得る。１つの設計では、データは、ＣＣのすべてに適用可能であるＨＡＲＱタイムラインに基づいて、複数のＣＣの各々上で送られ得る。
【００８０】
[00101]  図６Ａに関して、１つの設計では、ＵＥは、少なくとも１つのＣＣ上で基地局によって送られたダウンリンクデータに応答して、ＦＤＤ  ＣＣ、たとえばＦＣＣ  ＣＣ１アップリンク上でアップリンクＡＣＫ／ＮＡＣＫを送り得る。少なくとも１つのＣＣは、ＴＤＤ  ＣＣ、たとえばＴＤＤ  ＣＣ２またはＴＤＤ  ＣＣ３であるか、あるいはＦＤＤ  ＣＣ、たとえばＦＣＣ  ＣＣ１であり得る。基地局は、ＵＥによってＦＤＤ  ＣＣ上で送られたＡＣＫ／ＮＡＣＫを受信し得、ＡＣＫ／ＮＡＣＫは、基地局によって少なくとも１つのＣＣ上で送られたデータに対するものであり得る。図６Ｃに関して、別の設計では、ＵＥは、ＴＤＤ  ＣＣ、たとえば、ＴＤＤ  ＣＣ３上で送られたダウンリンクデータに応答して、同じＴＤＤ  ＣＣ上でアップリンクＡＣＫ／ＮＡＣＫを送り得る。基地局は、ＵＥによってＴＤＤ  ＣＣ上で送られたＡＣＫ／ＮＡＣＫを受信し得、ＡＣＫ／ＮＡＣＫは、ＴＤＤ  ＣＣ上でＵＥに送られたデータに対するものであり得る。図６Ｂに関して、さらに別の設計では、基地局は、少なくとも１つのＴＤＤ  ＣＣ、たとえばＴＤＤ  ＣＣ２またはＴＤＤ  ＣＣ３上でＵＥによって送られたアップリンクデータに応答して、ＦＤＤ  ＣＣ上でダウンリンクＡＣＫ／ＮＡＣＫを送り得る。基地局は、ＦＤＤ  ＣＣ上でＵＥにＡＣＫ／ＮＡＣＫを送り得、ＡＣＫ／ＮＡＣＫは、ＵＥから少なくとも１つのＣＣ上で受信されたデータに対するものであり得る。引き続き図６Ｂを参照すると、さらに別の設計では、基地局は、ＦＤＤ  ＣＣ、たとえばＦＣＣ  ＣＣ１上で送られたアップリンクデータに対してＦＤＤ  ＣＣ上でダウンリンクＡＣＫ／ＮＡＣＫを送り得る。基地局は、ＦＤＤ  ＣＣ上でＵＥにＡＣＫ／ＮＡＣＫを送り得、ＡＣＫ／ＮＡＣＫは、ＵＥからＴＤＤ  ＣＣ上で受信されたデータに対するものであり得る。
【００８１】
[00102]  図１１に、キャリアアグリゲーションを用いて通信するためのプロセス１１００を示す。プロセス１１００は、（以下で説明するように）ＵＥによって、または何らかの他のエンティティによって実行され得る。ＵＥは、ＵＥのために構成された複数のＣＣを決定する（ブロック１１１２）。複数のＣＣは、ＦＤＤ  ＣＣと、少なくとも１つのＴＤＤ  ＣＣとを含み得る。ＵＥは、ＵＥ能力に基づいてＵＥにＦＤＤ  ＣＣ上で送られた制御情報を受信する（ブロック１１１４）。ＵＥは、複数のＣＣのうちの少なくとも１つ上でデータを交換する（ブロック１１１６）。
【００８２】
[00103]  制御情報は少なくとも１つのダウンリンク許可を含み得る。ブロック１１１６では、ＵＥは、少なくとも１つのダウンリンク許可に基づいて少なくとも１つのＣＣ上でＵＥに送られたデータを受信し得る。制御情報は少なくとも１つのアップリンク許可を含み得る。ブロック１１１６では、ＵＥは、少なくとも１つのアップリンク許可に基づいて少なくとも１つのＣＣ上でデータを送り得る。
【００８３】
[00104]  図６Ａに関して、１つの設計では、ＵＥは、少なくとも１つのＣＣ上で基地局によって送られたダウンリンクデータに対してＦＤＤ  ＣＣ上でアップリンクＡＣＫ／ＮＡＣＫを送り得る。少なくとも１つのＣＣは、ＴＤＤ  ＣＣ、たとえばＴＤＤ  ＣＣ２またはＴＤＤ  ＣＣ３であるか、あるいはＦＤＤ  ＣＣ、たとえばＦＣＣ  ＣＣ１であり得る。ＵＥは、ＦＤＤ  ＣＣ上でＡＣＫ／ＮＡＣＫを送り得、ＡＣＫ／ＮＡＣＫは、ＵＥによって少なくとも１つのＣＣ上で受信されたデータに対するものであり得る。図６Ｃに関して、別の設計では、ＵＥは、ＴＤＤ  ＣＣ、たとえばＴＤＤ  ＣＣ２またはＴＤＤ  ＣＣ３上で基地局によって送られたダウンリンクデータに対して、同じＴＤＤ  ＣＣ上でアップリンクＡＣＫ／ＮＡＣＫを送り得る。ＵＥは、指定されたサブフレーム中のＴＤＤ  ＣＣ上でＡＣＫ／ＮＡＣＫを送り得る。ＡＣＫ／ＮＡＣＫは、ＵＥによって同じＴＤＤ  ＣＣ上で受信されたデータに対するものであり、指定されたサブフレームはＴＤＤ  ＣＣのアップリンクサブフレームであり得る。図６Ｂに関して、さらに別の設計では、基地局は、少なくとも１つのＦＤＤ  ＣＣ上でＵＥによって送られたアップリンクデータに対してＦＤＤ  ＣＣ上でダウンリンクＡＣＫ／ＮＡＣＫを送り得る。ＵＥは、ＦＤＤ  ＣＣ上で送られたＡＣＫ／ＮＡＣＫを受信し得、ＡＣＫ／ＮＡＣＫは、ＵＥによって少なくとも１つのＦＤＤ  ＣＣ上で送られたデータに対するものであり得る。引き続き図６Ｂを参照すると、さらに別の設計では、基地局は、ＴＤＤ  ＣＣ、たとえばＴＤＤ  ＣＣ２またはＴＤＤ  ＣＣ３上のＵＥによるアップリンクデータに対してＦＤＤ  ＣＣ上でダウンリンクＡＣＫ／ＮＡＣＫを送り得る。ＵＥは、ＦＤＤ  ＣＣ上で送られたＡＣＫ／ＮＡＣＫを受信し得、ＡＣＫ／ＮＡＣＫは、ＵＥによってＴＤＤ  ＣＣ上で送られたデータに対するものであり得る。
【００８４】
[00105]  図１２に、キャリアアグリゲーションを用いた通信をサポートするためのプロセス１２００を示す。プロセス１２００は、（以下で説明するように）基地局によって、または何らかの他のエンティティによって実行され得る。基地局は、基地局によってサービスされるＵＥのために構成された複数のＣＣを決定する（ブロック１２１２）。複数のＣＣはＰＣＣとＳＣＣとを含み得る。ＰＣＣは、第１のセルと少なくとも１つのネイバーセルとにおいて同じアップリンク：ダウンリンク構成に関連付けられ得る。ＳＣＣは、第１のセルと少なくとも１つのネイバーセルとにおいて異なるアップリンク：ダウンリンク構成に関連付けられ得る。基地局は、ＵＥにＰＣＣ上で制御情報を送る（ブロック１２１４）。基地局は、複数のＣＣのうちの少なくとも１つ上でデータをＵＥと交換する（ブロック１２１６）。
【００８５】
[00106]  １つの設計では、ＰＣＣは構成可能なアップリンク：ダウンリンク構成を有し得る。ＰＣＣのアップリンク：ダウンリンク構成への変更は、第１のセルと少なくとも１つのネイバーセルとにおいて同期させられ得る。１つの設計では、ＳＣＣは、第１のセルにおいて構成可能なアップリンク：ダウンリンク構成を有し得る。第１のセルは、たとえば、少なくとも１つのネイバーセルに通知することなしに、ＳＣＣのアップリンク：ダウンリンク構成を自律的に変更し得る。
【００８６】
[00107]  １つの設計では、第１のセルは、ＵＥがＳＣＣ上で強いセル間干渉を潜在的に観測するかどうかに基づいて、ＵＥをＰＣＣまたはＳＣＣ上でスケジュールし得る。第１のセルは、ＵＥからの測定値報告に基づいて、ＵＥが強いセル間干渉を潜在的に観測するかどうかを決定し得る。
【００８７】
[00108]  １つの設計では、第１のセルは、ＵＥから第１のサブフレームタイプのＳＣＣについての第１のＣＳＩ報告を受信し得、また、ＵＥから第２のサブフレームタイプのＳＣＣについての第２のＣＳＩ報告を受信し得る。第１のサブフレームタイプのサブフレーム（たとえば、非Ｉサブフレーム）は、少なくとも１つのネイバーセル中のＵＥから干渉を受けないことがある。第２のサブフレームタイプのサブフレーム（たとえば、Ｉサブフレーム）は、少なくとも１つのネイバーセル中のＵＥから干渉を受けることがある。第１のセルは、（ｉ）第１のＣＳＩ報告に基づいて第１のサブフレームタイプのサブフレーム中のＳＣＣ上でＵＥをスケジュールするか、または（ｉｉ）第２のＣＳＩ報告に基づいて第２のサブフレームタイプのサブフレーム中のＳＣＣ上でＵＥをスケジュールし得る。別の設計では、第１のセルは、ＵＥから第１のサブフレームタイプのＳＣＣについてのＣＳＩ報告を受信し得る。第１のセルは、ＣＳＩ報告に基づいて第１のサブフレームタイプのサブフレーム中のＳＣＣ上でＵＥをスケジュールし得る。
【００８８】
[00109]  １つの設計では、基地局は、複数のＣＣの各々のためのアップリンク：ダウンリンク構成に基づいて、複数のサブフレームの各々のための有効ＵＬ：ＤＬ区分を決定し得る。基地局は、複数のサブフレームの各々のための有効ＵＬ：ＤＬ区分に基づいて、データ送信のためにその中でＵＥをスケジュールすべきサブフレームを選択し得る。基地局は、ＵＥの能力、ＵＥにもしくはＵＥによって送るべきデータの量、ＵＥのデータ要件、および／または他のファクタにさらに基づいて、データ送信のためにその中でＵＥをスケジュールすべきサブフレームを選択し得る。
【００８９】
[00110]  制御情報は少なくとも１つのダウンリンク許可を備え得る。ブロック１２１６では、基地局は、少なくとも１つのダウンリンク許可に基づいて少なくとも１つのＣＣ上でデータをＵＥに送り得る。制御情報は少なくとも１つのアップリンク許可を備え得る。ブロック１２１６では、基地局は、少なくとも１つのアップリンク許可に基づいてＵＥによって少なくとも１つのＣＣ上で送られたデータを受信し得る。データは、ＣＣのすべてに適用可能であるＨＡＲＱタイムラインに基づいて、複数のＣＣの各々上で送られ得る。
【００９０】
[00111]  １つの設計では、少なくとも１つのＣＣ上で送られたダウンリンクデータに対してアップリンクＡＣＫ／ＮＡＣＫがＰＣＣ上で送られ得る。基地局は、ＵＥによってＰＣＣ上で送られたＡＣＫ／ＮＡＣＫを受信し得、ＡＣＫ／ＮＡＣＫは、少なくとも１つのＣＣ上でＵＥに送られたデータに対するものであり得る。別の設計では、ＳＣＣ上で送られたダウンリンクデータに対してアップリンクＡＣＫ／ＮＡＣＫがＳＣＣ上で送られ得る。基地局は、ＵＥによってＳＣＣ上で送られたＡＣＫ／ＮＡＣＫを受信し得、ＡＣＫ／ＮＡＣＫは、ＳＣＣ上でＵＥに送られたデータに対するものであり得る。さらに別の設計では、少なくとも１つのＣＣ上で送られたアップリンクデータに対してダウンリンクＡＣＫ／ＮＡＣＫがＰＣＣ上で送られ得る。基地局は、ＰＣＣ上でＵＥにＡＣＫ／ＮＡＣＫを送り得、ＡＣＫ／ＮＡＣＫは、ＵＥから少なくとも１つのＣＣ上で受信されたデータに対するものであり得る。さらに別の設計では、ＳＣＣ上で送られたアップリンクデータに対してダウンリンクＡＣＫ／ＮＡＣＫがＰＣＣ上で送られ得る。基地局は、ＰＣＣ上でＵＥにＡＣＫ／ＮＡＣＫを送り得、ＡＣＫ／ＮＡＣＫは、ＵＥからＳＣＣ上で受信されたデータに対するものであり得る。
【００９１】
[00112]  図１３に、キャリアアグリゲーションを用いて通信するためのプロセス１３００を示す。プロセス１３００は、（以下で説明するように）ＵＥによって、または何らかの他のエンティティによって実行され得る。ＵＥは、基地局によってサービスされ、ＵＥのために構成された複数のＣＣを決定する（ブロック１３１２）。複数のＣＣはＰＣＣとＳＣＣとを含み得る。ＰＣＣは、第１のセルと少なくとも１つのネイバーセルとにおいて同じアップリンク：ダウンリンク構成に関連付けられ得る。ＳＣＣは、第１のセルと少なくとも１つのネイバーセルとにおいて異なるアップリンク：ダウンリンク構成に関連付けられ得る。ＵＥは、ＵＥにＰＣＣ上で送られた制御情報を受信する（ブロック１３１４）。ＵＥは、複数のＣＣのうちの少なくとも１つの上でデータを第１のセルと交換する（ブロック１３１６）。
【００９２】
[00113]  １つの設計では、ＵＥは、第１のサブフレームタイプのＳＣＣについての第１のＣＳＩ報告を送り得、第２のサブフレームタイプのＳＣＣについての第２のＣＳＩ報告を送り得る。第１のサブフレームタイプのサブフレーム（たとえば、非Ｉサブフレーム）は、少なくとも１つのネイバーセル中のＵＥから干渉を受けないことがある。第２のサブフレームタイプのサブフレーム（たとえば、Ｉサブフレーム）は、少なくとも１つのネイバーセル中のＵＥから干渉を受けることがある。ＵＥは、（ｉ）第１のＣＳＩ報告に基づいて第１のサブフレームタイプのサブフレーム中のＳＣＣ上でスケジュールされるか、または（ｉｉ）第２のＣＳＩ報告に基づいて第２のサブフレームタイプのサブフレーム中のＳＣＣ上でスケジュールされ得る。別の設計では、ＵＥは、第１のサブフレームタイプのＳＣＣについてのＣＳＩ報告を送り得る。ＵＥは、ＣＳＩ報告に基づいて第１のサブフレームタイプのサブフレーム中のＳＣＣ上でスケジュールされ得る。
【００９３】
[00114]  ＵＥは、ブロック１３１６において基地局にデータを送り得る。ＵＥは、次いで、基地局に送られたデータに対して基地局からＡＣＫ／ＮＡＣＫを受信し得る。代替または追加として、ＵＥは、ブロック１３１６において基地局からデータを受信し得る。ＵＥは、次いで、基地局から受信されたデータに対して基地局にＡＣＫ／ＮＡＣＫを送り得る。データおよびＡＣＫ／ＮＡＣＫは、図１３において基地局について説明した相補的に送信または受信され得る。
【００９４】
[00115]  図１４に、図１の基地局／ｅＮＢのうちの１つであり得る基地局／ｅＮＢ１１０ｙと、図１のＵＥのうちの１つであり得るＵＥ１２０ｙとの設計のブロック図を示す。基地局１１０ｙはＴ個のアンテナ１４３４ａ〜１４３４ｔを装備し得、ＵＥ１２０ｙはＲ個のアンテナ１４５２ａ〜１４５２ｒを装備し得、ただし、一般に、Ｔは１以上であり、１以上である。
【００９５】
[00116]  基地局１１０ｙにおいて、送信プロセッサ１４２０は、データソース１４１２から１つまたは複数のＵＥのデータを受信し、各ＵＥについて選択された１つまたは複数の変調およびコーディング方式に基づいてそのＵＥのデータを処理（たとえば、符号化および変調）し、すべてのＵＥのデータシンボルを与え得る。送信プロセッサ１４２０はまた、（たとえば、ダウンリンク許可、アップリンク許可、ＡＣＫ／ＮＡＣＫなどについての）制御情報を処理し、制御シンボルを与え得る。プロセッサ１４２０はまた、基準信号のための基準シンボルを生成し得る。送信（ＴＸ）多入力多出力（ＭＩＭＯ）プロセッサ１４３０は、（適用可能な場合は）データシンボル、制御シンボル、および／または基準シンボルをプリコーディングし得、Ｔ個の出力シンボルストリームをＴ個の変調器（ＭＯＤ）１４３２ａ〜１４３２ｔに与え得る。各変調器１４３２は、（たとえば、ＯＦＤＭなどのために）それの出力シンボルストリームを処理して、出力サンプルストリームを取得し得る。各変調器１４３２はさらに、それの出力サンプルストリームを調整（たとえば、アナログへの変換、増幅、フィルタ処理、およびアップコンバート）して、ダウンリンク信号を取得し得る。変調器１４３２ａ〜１４３２ｔからのＴ個のダウンリンク信号は、それぞれＴ個のアンテナ１４３４ａ〜１４３４ｔを介して送信され得る。
【００９６】
[00117]  ＵＥ１２０ｙにおいて、アンテナ１４５２ａ〜１４５２ｒは、基地局１１０ｙおよび／または他の基地局からダウンリンク信号を受信し得、受信信号をそれぞれ復調器（ＤＥＭＯＤ）１４５４ａ〜１４５４ｒに与え得る。各復調器１４５４は、それの受信信号を調整（たとえば、フィルタ処理、増幅、ダウンコンバート、およびデジタル化）して、入力サンプルを取得し得る。各復調器１４５４はさらに、（たとえば、ＯＦＤＭなどのための）入力サンプルを処理して、受信シンボルを取得し得る。ＭＩＭＯ検出器１４５６は、すべてのＲ個の復調器１４５４ａ〜１４５４ｒから受信シンボルを取得し、受信シンボルに対してＭＩＭＯ検出を実行し、検出されたシンボルを与え得る。受信プロセッサ１４５８は、検出されたシンボルを処理（たとえば、復調および復号）し、ＵＥ１２０ｙのための復号されたデータをデータシンク１４６０に与え、復号された制御情報をコントローラ／プロセッサ１４８０に与え得る。チャネルプロセッサ１４８４は、異なるキャリア上で受信された基準信号に基づいてこれらのキャリアのためのチャネル応答および干渉を測定し得、当該の各キャリアについてＣＳＩを決定し得る。
【００９７】
[00118]  アップリンク上では、ＵＥ１２０ｙにおいて、送信プロセッサ１４６４は、データソース１４６２からデータを受信し、処理し、コントローラ／プロセッサ１４８０から制御情報（たとえば、ＡＣＫ／ＮＡＣＫ、ＣＳＩなど）を受信し、処理し得る。プロセッサ１４６４はまた、１つまたは複数の基準信号のための基準シンボルを生成し得る。送信プロセッサ１４６４からのシンボルは、適用可能な場合はＴＸ  ＭＩＭＯプロセッサ１４６６によってプリコーディングされ、（たとえば、ＳＣ−ＦＤＭ、ＯＦＤＭなどのために）変調器１４５４ａ〜１４５４ｒによってさらに処理され、基地局１１０ｙに送信され得る。基地局１１０ｙにおいて、ＵＥ１２０ｙおよび他のＵＥからのアップリンク信号は、アンテナ１４３４によって受信され、復調器１４３２によって処理され、適用可能な場合はＭＩＭＯ検出器１４３６によって検出され、受信プロセッサ１４３８によってさらに処理されて、ＵＥ１２０ｙおよび他のＵＥによって送られた復号されたデータおよび制御情報が取得され得る。プロセッサ１４３８は、復号されたデータをデータシンク１４３９に与え、復号された制御情報をコントローラ／プロセッサ１４４０に与え得る。
【００９８】
[00119]  コントローラ／プロセッサ１４４０および１４８０は、それぞれ基地局１１０ｙおよびＵＥ１２０ｙにおける動作を指示し得る。基地局１１０ｙにおけるプロセッサ１４４０および／または他のプロセッサおよびモジュールは、図１０のプロセス１０００、図１２のプロセス１２００、および／または本明細書で説明する技法のための他のプロセスを実行または指示し得る。ＵＥ１２０ｙにおけるプロセッサ１４８０および／または他のプロセッサおよびモジュールは、図１１のプロセス１１００、図１３のプロセス１３００、および／または本明細書で説明する技法のための他のプロセスを実行または指示し得る。メモリ１４４２および１４８２は、それぞれ基地局１１０ｙおよびＵＥ１２０ｙのためのデータとプログラムコードとを記憶し得る。スケジューラ１４４４は、ダウンリンクおよび／またはアップリンク上でのデータ送信のためにＵＥをスケジューリングし得る。
【００９９】
[00120]  図１５は、ハイブリッドキャリアアグリゲーションをサポートするワイヤレス通信の方法のフローチャート１００である。本方法はｅＮＢによって実行され得る。ハイブリッドキャリアアグリゲーションは、ＴＴＤのために異なるアップリンク：ダウンリンク構成をもつコンポーネントキャリアのアグリゲーションであり得る。アグリゲーションはさらにＦＤＤコンポーネントキャリアを伴い得る。
【０１００】
[00121]  ステップ１５０２において、ｅＮＢは、ｅＮＢによってサービスされるあるＵＥのために構成された複数のＴＤＤコンポーネントキャリアを決定する。ｅＮＢは、ＵＥのためのコンポーネントキャリア構成を前もって設定する。したがって、ｅＮＢは、ｅＮＢがＵＥのための設定したコンポーネントキャリア構成に基づいて、ＵＥのために構成されたＴＤＤコンポーネントキャリアを決定する。複数のコンポーネントキャリアは、１次コンポーネントキャリアと、２次コンポーネントキャリアとを含み得る。１次コンポーネントキャリアは、第１のセルとネイバーセルとにおいて同じアップリンク：ダウンリンク構成を有するが、２次コンポーネントキャリアは、第１のセルとネイバーセルとにおいて異なるアップリンク：ダウンリンク構成を有する。そのようなＴＤＤキャリアコンポーネント配置の例については図９に関して上記で説明した。
【０１０１】
[00122]  １次コンポーネントキャリアは構成可能なアップリンク：ダウンリンク構成を有し得る。第１のセルにおける１次コンポーネントキャリアと、ネイバーセルにおける１次コンポーネントキャリアとが同じアップリンク：ダウンリンク構成を維持するように、１次コンポーネントキャリアのアップリンク：ダウンリンク構成への変更は、第１のセルとネイバーセルとにおいて同期させられ得る。たとえば、セルＡのためのＴＤＤ  ＣＣ１（ＰＣＣ）のアップリンクダウンリンク区分がセルＢのためのＴＤＤ  ＣＣ１（ＰＣＣ）のアップリンクダウンリンク区分と同じである、図９を参照されたい。２次コンポーネントキャリアも、第１のセルにおいて構成可能なアップリンク：ダウンリンク構成を有し得る。
【０１０２】
[00123]  ステップ１５０４において、ｅＮＢは、１次コンポーネントキャリアと２次コンポーネントキャリアの一方または両方の上でＵＥをスケジュールする。一構成では、スケジュールはセル間干渉に基づく。この場合、ｅＮＢは、ＵＥによって観測されたセル間干渉の測度を決定し、決定された測度に基づいて１次コンポーネントキャリアと２次コンポーネントキャリアとのうちの１つ上でＵＥをスケジュールする。ｅＮＢは、決定された測度が強いセル間干渉に対応するとき、ＵＥを１次コンポーネントキャリア上でスケジュールし得る。ｅＮＢは、決定された測度が強いセル間干渉に対応しないとき、ＵＥを２次コンポーネントキャリア上でスケジュールし得る。
【０１０３】
[00124]  上記で説明したように、ＵＥによって観測されるセル間干渉の測度は様々な方法で決定され得る。１つの設計では、強いセル間干渉は、ＵＥによって送られる測定値報告に基づいて決定され得る。報告は、ＵＥによって検出されたセル、たとえば、しきい値を超える受信信号強度をもつセルの受信信号強度を含み得る。ネイバーセルの受信信号強度が高いしきい値を超える場合、ＵＥはネイバーセルからの強い干渉を観測すると見なされ得る。別の設計では、強いセル間干渉は、そのセルによってサービスされていないＵＥのセルによって行われる干渉測定に基づいて決定され得る。強いセル間干渉は他の方法でも決定され得る。
【０１０４】
[00125]  他の構成では、ｅＮＢは、ＵＥから受信された１つまたは複数のＣＳＩ報告に基づいてＵＥをスケジュールし得る。そのような一実装形態では、ｅＮＢは、２次コンポーネントキャリアのサブフレームについてのＣＳＩ報告をＵＥから受信し、ここで、サブフレームは第１のタイプのサブフレームに対応する。第１のサブフレームタイプは、ネイバーセル中のＵＥからの干渉を受けないサブフレームであり得る。上記で説明したように、これらのタイプのサブフレームは非干渉（非Ｉ）サブフレームまたはクリーンサブフレームと呼ばれることがある。この場合、ｅＮＢは、ＣＳＩ報告に基づいて第１のサブフレームタイプのサブフレーム中の２次コンポーネントキャリア上でＵＥをスケジュールし得る。
【０１０５】
[00126]  別の実装形態では、ｅＮＢは、ＵＥから第１のＣＳＩ報告と第２のＣＳＩ報告とを受信する。第１のＣＳＩ報告は、第１のタイプのサブフレームに対応する２次コンポーネントキャリアのサブフレームについてのものである。第１のサブフレームタイプは、ネイバーセル中のＵＥからの干渉を受けないサブフレームであり得る。第２のＣＳＩ報告は、第２のタイプのサブフレームに対応する２次コンポーネントキャリアのサブフレームについてのものである。第２のサブフレームタイプは、ネイバーセル中のＵＥからの干渉を受けるサブフレームであり得る。上記で説明したように、これらのタイプのサブフレームは干渉（Ｉ）サブフレームまたは非クリーンサブフレーム（unclean subframe）と呼ばれることがある。この場合、ｅＮＢは、第１のＣＳＩ報告に基づいて第１のサブフレームタイプのサブフレーム中の２次コンポーネントキャリア上でＵＥをスケジュールするか、または第２のＣＳＩ報告に基づいて第２のサブフレームタイプのサブフレーム中の２次コンポーネントキャリア上でＵＥをスケジュールし得る。
【０１０６】
[00127]  別の構成では、ｅＮＢは、複数のコンポーネントキャリアの各々のためのアップリンク：ダウンリンク構成に基づいて、複数のサブフレームの各々のための有効アップリンク：ダウンリンク区分を決定する。ｅＮＢは、次いで、複数のサブフレームの各々のための有効アップリンク：ダウンリンク区分に基づいて、データ送信のためにその中でＵＥをスケジュールすべきサブフレームを選択する。たとえば、データ送信のためにその中でＵＥをスケジュールすべきサブフレームは、ＵＥ能力、ＵＥに送るべきデータの量、および／またはＵＥのデータ要件さらに基づいて選択され得る。
【０１０７】
[00128]  ステップ１５０６において、ｅＮＢは、ＵＥに１次コンポーネントキャリア上で制御情報を送る。ステップ１５０８において、ｅＮＢは、複数のコンポーネントキャリアのうちの少なくとも１つ上でデータをＵＥと交換する。図６Ｃに関して上記で説明したように、制御情報は少なくとも１つのダウンリンク許可を含み得、その場合、ｅＮＢは、少なくとも１つのダウンリンク許可に基づいてＵＥに少なくとも１つのコンポーネントキャリア上でデータを送ることによってデータを交換する。図６Ｂに関して上記で説明したように、制御情報は少なくとも１つのアップリンク許可をも含み得、その場合、ｅＮＢは、少なくとも１つのアップリンク許可に基づいてＵＥによって少なくとも１つのコンポーネントキャリア上で送られたデータを受信することによってデータを交換する。
【０１０８】
[00129]  一実施形態では、複数のコンポーネントキャリアはＦＤＤコンポーネントキャリアをも含み得る。この場合、ｅＮＢは、ＵＥにＦＤＤコンポーネントキャリア上で制御情報を送り得る。ＦＤＤコンポーネントキャリア上で送られる制御情報は、ＴＤＤコンポーネントキャリアのダウンリンクサブフレーム上でのダウンリンクデータのためのダウンリンク許可、またはＴＤＤコンポーネントキャリアのアップリンクサブフレーム上でのアップリンクデータのためのアップリンク許可を含み得る。
【０１０９】
[00130]  ＦＤＤコンポーネントキャリア上で送られるダウンリンク許可の場合、ｅＮＢは、ＵＥから、適切に順序付けられたサブフレーム中で、アップリンク信号、たとえば、ＡＣＫ／ＮＡＣＫを受信し得る。たとえば、図６Ａ〜図６Ｃに関して上記で説明したように、適切に順序付けられたサブフレームは、ダウンリンク許可がその中で送られたダウンリンクサブフレーム（たとえば、ｔ）の、一定数のサブフレーム（たとえば、ｔ＋４）後にあり得る。適切に順序付けられたサブフレームに一致するＴＤＤコンポーネントキャリアサブフレームがアップリンクサブフレームである場合、ｅＮＢによって受信されたアップリンク信号はＴＤＤコンポーネントキャリア上で送られる。たとえば、ＴＤＤ  ＣＣ３の第４のサブフレームがアップリンクサブフレームであるので、ＴＤＤ  ＣＣ３のサブフレーム０中で送られたダウンリンクデータに対応するアップリンクＡＣＫ／ＮＡＣＫはＴＤＤ  ＣＣ３の第４のサブフレーム上で送られる、図６Ｃを参照されたい。適切に順序付けられたサブフレームに一致するＴＤＤコンポーネントキャリアサブフレームがダウンリンクサブフレームである場合、アップリンク信号はＦＤＤコンポーネントキャリア上で送られる。たとえば、ＴＤＤ  ＣＣ２の第４のサブフレームがダウンリンクサブフレームであるので、ＴＤＤ  ＣＣ２のサブフレーム０中で送られたダウンリンクデータに対応するアップリンクＡＣＫ／ＮＡＣＫはＦＤＤ  ＣＣ１アップリンクの第４のサブフレーム上で送られる、図６Ｃを参照されたい。
【０１１０】
[00131]  ＦＤＤコンポーネントキャリア上で送られるアップリンク許可の場合、ｅＮＢは、ＴＤＤコンポーネントキャリアのアップリンクサブフレームに対してＦＤＤコンポーネントキャリアの適切に順序付けられたサブフレーム中でアップリンク許可を送信する。適切に順序付けられたサブフレームは、アップリンクデータ送信がその中で行われ得るアップリンクサブフレーム（たとえば、ｔ）より一定数のサブフレーム（たとえば、ｔ−４）前にあり得る。たとえば、ＴＤＤ  ＣＣ２とＴＤＤ  ＣＣ３とがサブフレームｔ＝３においてアップリンクサブフレームを有し、アップリンク許可が、サブフレーム３より４サブフレーム前にあるサブフレーム９中のＦＤＤ  ＣＣ１上で送られる、図６Ｂを参照されたい。
【０１１１】
[00132]  図１６は、装置１６０２中の異なるモジュール／手段／構成要素間のデータフローを示すデータフロー図１６００である。本装置はｅＮＢであり得る。本装置は、コンポーネントキャリア決定モジュール１６０４と、スケジューリングモジュール１６０６と、制御情報モジュール１６０８と、データ交換モジュール１６１０とを含む。
【０１１２】
[00133]  コンポーネントキャリア決定モジュール１６０４は、ｅＮＢによってサービスされるＵＥのために構成された複数のＴＤＤコンポーネントキャリアを決定する。複数のコンポーネントキャリアは１次コンポーネントキャリアと２次コンポーネントキャリアとを含む。１次コンポーネントキャリアは、第１のセルとネイバーセルとにおいて同じアップリンク：ダウンリンク構成を有し、２次コンポーネントキャリアは、第１のセルとネイバーセルとにおいて異なるアップリンク：ダウンリンク構成を有する。
【０１１３】
[00134]  スケジューリングモジュール１６０６は、１次コンポーネントキャリアと２次コンポーネントキャリアとのうちの１つ上でＵＥをスケジュールする。たとえば、スケジューリングモジュール１６０６は、ＵＥによって観測されたセル間干渉の測度を決定し、決定された測度に基づいて１次コンポーネントキャリアと２次コンポーネントキャリアとのうちの１つ上でＵＥをスケジュールし得る。スケジューリングモジュール１６０６は、決定された測度が強いセル間干渉に対応するとき、ＵＥを１次コンポーネントキャリア上にスケジュールし、決定された測度が強いセル間干渉に対応しないとき、ＵＥを２次コンポーネントキャリア上にスケジュールし得る。
【０１１４】
[00135]  スケジューリングモジュール１６０６は、２次コンポーネントキャリアの第１のサブフレームタイプについての第１のＣＳＩ報告をＵＥから受信し得、ここで、第１のサブフレームタイプのサブフレームはネイバーセル中のＵＥから干渉を受けない。スケジューリングモジュール１６０６は、ＣＳＩ報告に基づいて第１のサブフレームタイプのサブフレーム中の２次コンポーネントキャリア上でＵＥをスケジュールし得る。スケジューリングモジュール１６０６はまた、２次コンポーネントキャリアの第２のサブフレームタイプについての第２のＣＳＩ報告をＵＥから受信し得、ここで、第２のサブフレームタイプ場合サブフレームはネイバーセル中のＵＥから干渉を受ける。スケジューリングモジュール１６０６は、第１のＣＳＩ報告に基づいて第１のサブフレームタイプのサブフレーム中の２次コンポーネントキャリア上でＵＥをスケジュールするか、または第２のＣＳＩ報告に基づいて第２のサブフレームタイプのサブフレーム中の２次コンポーネントキャリア上でＵＥをスケジュールし得る。
【０１１５】
[00136]  スケジューリングモジュール１６０６はまた、複数のコンポーネントキャリアの各々のためのアップリンク：ダウンリンク構成に基づいて、複数のサブフレームの各々のための有効アップリンク：ダウンリンク区分を決定し、複数のサブフレームの各々のための有効アップリンク：ダウンリンク区分に基づいてデータ送信のためにその中でＵＥをスケジュールすべきサブフレームを選択し得る。
【０１１６】
[00137]  制御情報モジュール１６０８は、ＵＥに１次コンポーネントキャリア上で制御情報を送る。データ交換モジュール１６１０は、複数のコンポーネントキャリアのうちの少なくとも１つ上でデータをＵＥと交換する、たとえば、送信および／または受信する。制御情報モジュールによって送られる制御情報は少なくとも１つのダウンリンク許可を含み得る。この場合、データ交換モジュール１６１０は、少なくとも１つのダウンリンク許可に基づいて少なくとも１つのコンポーネントキャリア上でデータをＵＥに送る。制御情報モジュール１６０８によって送られる制御情報は少なくとも１つのアップリンク許可を含み得る。この場合、データ交換モジュール１６１０は、少なくとも１つのアップリンク許可に基づいてＵＥによって少なくとも１つのコンポーネントキャリア上で送られたデータを受信する。制御情報モジュール１６０８によって送られる制御情報は、ＦＤＤコンポーネントキャリア上で送られ得、ＴＤＤコンポーネントキャリアのダウンリンクサブフレーム上でのダウンリンクデータのためのダウンリンク許可を含み得る。この場合、適切に順序付けられたサブフレームに一致するＴＤＤコンポーネントキャリアサブフレームがアップリンクサブフレームであるとき、データ交換モジュール１６１０は、ＴＤＤコンポーネントキャリアの適切に順序付けられたサブフレーム中でＵＥからアップリンク信号を受信し得る。適切に順序付けられたサブフレームに一致するＴＤＤコンポーネントキャリアサブフレームがダウンリンクサブフレームであるとき、データ交換モジュール１６１０は、ＦＤＤコンポーネントキャリア上で送られたアップリンク信号をＵＥから受信し得る。
【０１１７】
[00138]  本装置は、図１５の上述のフローチャート中のアルゴリズムのステップの各々を実行する追加のモジュールを含み得る。したがって、図１５の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１８】
[00139]  図１７は、処理システム１７１４を採用する装置１６０２’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４によって表される１つまたは複数のプロセッサおよび／またはハードウェアモジュールと、モジュール１６０４、１６０６、１６０８、１６１０と、コンピュータ可読媒体１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【０１１９】
[00140]  処理システム１７１４はトランシーバ１７１０に結合され得る。トランシーバ１７１０は１つまたは複数のアンテナ１７２０に結合される。トランシーバ１７１０は、伝送媒体を介して様々な他の装置と通信するための手段を与える。トランシーバ１７１０は、１つまたは複数のアンテナ１７２０から信号を受信し、受信された信号から情報を抽出し、抽出された情報を処理システム１７１４に与える。さらに、トランシーバ１７１０は、処理システム１７１４から情報を受信し、受信された情報に基づいて、１つまたは複数のアンテナ１７２０に適用されるべき信号を生成する。処理システム１７１４は、コンピュータ可読媒体１７０６に結合されたプロセッサ１７０４を含む。プロセッサ１７０４は、コンピュータ可読媒体１７０６に記憶されたソフトウェアの実行を含む一般的な処理を担当する。ソフトウェアは、プロセッサ１７０４によって実行されたとき、処理システム１７１４に、任意の特定の装置について上記で説明した様々な機能を実行させる。コンピュータ可読媒体１７０６はまた、ソフトウェアを実行するときにプロセッサ１７０４によって操作されるデータを記憶するために使用され得る。処理システムは、モジュール１６０４、１６０６、１６０８、および１６１０のうちの少なくとも１つをさらに含む。それらのモジュールは、プロセッサ１７０４中で動作し、コンピュータ可読媒体１７０６中に常駐する／記憶された、ソフトウェアモジュールであるか、プロセッサ１７０４に結合された１つまたは複数のハードウェアモジュールであるか、またはそれらの何らかの組合せであり得る。処理システム１７１４は、ｅＮＢ１１０ｙの構成要素であり得、メモリ１４４２、および／またはＴＸプロセッサ１４２０とＲＸプロセッサ１４３８とコントローラ／プロセッサ１４４０とのうちの少なくとも１つを含み得る。
【０１２０】
[00141]  一構成では、ワイヤレス通信のための装置１６０２／１６０２’は、ｅＮＢによってサービスされるＵＥのために構成された複数のＴＤＤコンポーネントキャリアを決定するための手段を含む。複数のコンポーネントキャリアは、１次コンポーネントキャリアと、２次コンポーネントキャリアとを含み得る。１次コンポーネントキャリアは、第１のセルとネイバーセルとにおいて同じアップリンク：ダウンリンク構成を有し、２次コンポーネントキャリアは、第１のセルとネイバーセルとにおいて異なるアップリンク：ダウンリンク構成を有する。装置１６０２／１６０２’はまた、ＵＥに１次コンポーネントキャリア上で制御情報を送るための手段と、複数のコンポーネントキャリアのうちの少なくとも１つ上でデータをＵＥと交換するための手段とを含む。
【０１２１】
[00142]  装置１６０２／１６０２’はさらに、ＵＥによって観測されるセル間干渉の測度（measure）を決定するための手段と、決定された測度に基づいて１次コンポーネントキャリアと２次コンポーネントキャリアとのうちの１つ上でＵＥをスケジュールするための手段と、ＵＥからＣＳＩ報告を受信するための手段と、上記報告が第１のサブフレームタイプのための２次コンポーネントキャリアのためのものであり、ここにおいて、第１のサブフレームタイプのサブフレームがネイバーセル中のＵＥから干渉を受けない、ＣＳＩ報告に基づいて第１のサブフレームタイプのサブフレーム中の２次コンポーネントキャリア上でＵＥをスケジュールするための手段とを含み得る。装置１６０２／１６０２’はさらに、ＵＥから第２のＣＳＩ報告を受信するための手段と、第２の報告がＵＥからの第２のサブフレームタイプのための２次コンポーネントキャリアのためのものであり、ここにおいて、第２のサブフレームタイプのサブフレームがネイバーセル中のＵＥから干渉を受ける、第１のＣＳＩ報告に基づいて第１のサブフレームタイプのサブフレーム中の２次コンポーネントキャリア上でＵＥをスケジュールするか、または第２のＣＳＩ報告に基づいて第２のサブフレームタイプのサブフレーム中の２次コンポーネントキャリア上でＵＥをスケジュールするための手段とを含み得る。
【０１２２】
[00143]  装置１６０２／１６０２’はさらに、複数のコンポーネントキャリアの各々のためのアップリンク：ダウンリンク構成に基づいて、複数のサブフレームの各々のための有効アップリンク：ダウンリンク区分を決定するための手段と、複数のサブフレームの各々のための有効アップリンク：ダウンリンク区分に基づいてデータ送信のためにその中でＵＥをスケジュールすべきサブフレームを選択するための手段とを含み得る。
【０１２３】
[00144]  装置１６０２／１６０２’はさらに、ＵＥにＦＤＤコンポーネントキャリア上で制御情報を送るための手段と、適切に順序付けられたサブフレーム中でＵＥからアップリンク信号を受信するための手段と、ここで、適切に順序付けられたサブフレームに一致するＴＤＤコンポーネントキャリアサブフレームがアップリンクサブフレームである場合、アップリンク信号がＴＤＤコンポーネントキャリア上で送られる、を含み得る。
【０１２４】
[00145]  上述の手段は、上述の手段によって具陳された機能を実行するように構成された、装置１６０２の上述のモジュールおよび／または装置１６０２’の処理システム１７１４のうちの１つまたは複数であり得る。上記で説明したように、処理システム１７１４は、ＴＸプロセッサ１４２０と、ＲＸプロセッサ１４３８と、コントローラ／プロセッサ１４４０とを含み得る。したがって、一構成では、上述の手段は、上述の手段によって具陳された機能を実行するように構成された、ＴＸプロセッサ１４２０と、ＲＸプロセッサ１４３８と、コントローラ／プロセッサ１４４０とであり得る。
【０１２５】
[00146]  開示するプロセスにおけるステップの特定の順序または階層は、例示的な手法の一例であることを理解されたい。設計上の選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１２６】
[00147]  さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１２７】
[00148]  本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１２８】
[00149]  本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【０１２９】
[00150]  １つまたは複数の例示的な設計または方法では、説明した機能は、ハードウェア、ソフトウェア、ファームウェア、またはそれらの任意の組合せで実装され得る。ソフトウェアで実装された場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【０１３０】
[00151]  以上の説明は、当業者が本明細書で説明した様々な態様を実施できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られているかまたは後で知られることになる、本開示全体にわたって説明した様々な態様の要素へのすべての構造的または機能的均等物は、参照により本明細書に明確に組み込まれ、特許請求の範囲によって包含されることを意図される。その上、本明細書で開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2015534371.tif 000005
【図２Ａ】
2015534371.tif 000006
【図２Ｂ】
2015534371.tif 000007
【図３Ａ】
2015534371.tif 000008
【図３Ｂ】
2015534371.tif 000009
【図４Ａ】
2015534371.tif 000010
【図４Ｂ】
2015534371.tif 000011
【図５】
2015534371.tif 000012
【図６Ａ】
2015534371.tif 000013
【図６Ｂ】
2015534371.tif 000014
【図６Ｃ】
2015534371.tif 000015
【図７】
2015534371.tif 000016
【図８】
2015534371.tif 000017
【図９】
2015534371.tif 000018
【図１０】
2015534371.tif 000019
【図１１】
2015534371.tif 000020
【図１２】
2015534371.tif 000021
【図１３】
2015534371.tif 000022
【図１４】
2015534371.tif 000023
【図１５】
2015534371.tif 000024
【図１６】
2015534371.tif 000025
【図１７】
2015534371.tif 000026
【国際調査報告】
2015534371.tif 000027
2015534371.tif 000028